(57)【特許請求の範囲】
【請求項１】
演出操作装置及び回転手段を備える遊技機において、
前記回転手段は、回転軸と、当該回転軸により支持される回転体と、当該回転体を回転可能に支持するように設けられる支持部材とを有して、期待度の高い演出態様或いは期待度の低い演出態様を前記回転体の表面の絵柄にて報知するようになっており、
前記演出操作装置は、
ベースと、
当該ベースに押動可能に支持してなる操作ボタンと、
当該操作ボタンに対し振動を伝達可能に設けてなる可振板と、
当該可振板の面に沿う中心線に対する法線上にて前記中心線の左右両側に前記可振板及び前記ベースに接触可能に設けてなる左右両側弾性スペーサ部材と、
前記可振板に振動を発生させるように設けてなる振動発生手段とを具備してなり、
当該振動発生手段は、モータ本体及び当該モータ本体から同軸的に延出する出力軸を有するモータと、当該モータの前記出力軸に支持される偏心体とを備えており、
前記回転手段において、
前記回転体は、一図柄変動において２種類の回転速度のうちの低い回転速度にて回転した後当該低い回転速度よりも高い回転速度にて回転するようになっており、
前記振動発生手段において、前記モータは、前記モータ本体にて、前記左右両側弾性スペーサ部材を結ぶ直線からずれて位置するように前記可振板に支持されていることを特徴とする遊技機。
【請求項２】
演出操作装置及び回転手段を備える遊技機において、
前記回転手段は、回転軸と、当該回転軸により支持される回転体と、当該回転体を回転可能に支持するように設けられる支持部材とを有して、期待度の高い演出態様或いは期待度の低い演出態様を前記回転体の表面の絵柄にて報知するようになっており、
前記演出操作装置は、
ベースと、
当該ベースに押動可能に支持してなる操作ボタンと、
当該操作ボタンに対し振動を伝達可能に設けてなる可振板と、
当該可振板の面に沿う中心線に対する法線上にて前記中心線の左右両側に前記可振板及び前記ベースに接触可能に設けてなる左右両側弾性スペーサ部材と、
前記可振板に振動を発生させるように設けてなる振動発生手段とを具備してなり、
当該振動発生手段は、モータ本体及び当該モータ本体から同軸的に延出する出力軸を有するモータと、当該モータの前記出力軸に支持される偏心体とを備えており、
前記回転手段において、
前記回転体は、一図柄変動において２種類の回転速度のうちの低い回転速度にて回転した後当該低い回転速度よりも高い回転速度にて回転するようになっており、
前記振動発生手段において、前記モータは、前記左右両側弾性スペーサ部材を結ぶ直線からずれて前記偏心体を位置させるように、前記モータ本体にて、前記可振板に支持されていることを特徴とする遊技機。
【発明の詳細な説明】
【技術分野】
【０００１】
本発明は、パチンコ遊技機やスロットマシンなどの遊技機に関する。
【背景技術】
【０００２】
従来、この種の遊技機においては、下記特許文献１に開示されたパチンコ機がある。当該パチンコ機において、その演出用操作装置は、パチンコ機の遊技機本体の前板からその前方へ膨出するように形成した上皿カバーの左右方向中央部に形成してなる中央開口部内に収容されている。なお、当該中央開口部は、上皿カバーの左右方向中央部にて、パチンコ機の前側斜め上方に向けて開口している。
【０００３】
ここで、当該演出用操作装置において、回転灯は、回転軸の軸周りに回転可能となるように、上皿カバーの中央開口部内にて回転軸と同軸的に支持されている。また、透明のドーム型操作ボタン部は、上皿カバーの中央開口部内にて、回転灯を覆うように、回転軸と同軸的に組み付けられるようになっており、当該ドーム型操作ボタン部は、そのドーム部にて、上皿カバーの中央開口部から前側上方へ突出している。これにより、遊技者は、回転灯を、ドーム型操作ボタン部のドーム部を通して視認可能となっている。
【先行技術文献】
【特許文献】
【０００４】
【特許文献１】特開２０１３−１３５８７２号公報
【発明の概要】
【発明が解決しようとする課題】
【０００５】
しかしながら、遊技者に大当たり等を予感させるような振動をドーム型操作ボタン部に発生させる場合に、当該振動が良好に発生しないと、遊技者に対し大当たり等の予感を与えにくいという不具合を招く。
【０００６】
そこで、本発明は、以上のようなことに対処するため、遊技者に大当たり等を予感させるような振動を操作ボタンに良好に発生させるようにした演出操作装置を備える遊技機を提供することを目的とする。
【課題を解決するための手段】
【０００７】
上記課題の解決にあたり、本発明に係る遊技機は、請求項１の記載によれば、  演出操作装置（ＢＧ）及び回転手段（ＲＭ）を備える。
【０００８】
当該遊技機において、
回転手段は、回転軸（１６１）と、当該回転軸により支持される回転体（ＲＤ）と、当該回転体を回転可能に支持するように設けられる支持部材（１５０ｂ）とを有して、期待度の高い演出態様或いは期待度の低い演出態様を回転体の表面の絵柄にて報知するようになっており、
演出操作装置は、
ベース(１４０ａ）と、
当該ベースに押動可能に支持してなる操作ボタン（１４０ｃ）と、
操作ボタンに対し振動を伝達可能に設けてなる可振板（２００ｄ）と、
当該可振板の面に沿う中心線（Ｑ）に対する法線（Ｐ）上にて上記中心線の左右両側に可振板及びベースに接触可能に設けてなる左右両側弾性スペーサ部材（２２０ｃ、２２０ｄ）と、
可振板に振動を発生させるように設けてなる振動発生手段（ＶＭ）とを具備してなり、
当該振動発生手段は、モータ本体（２１４）及び当該モータ本体から同軸的に延出する出力軸（２１５）を有するモータ（２００ｆ）と、当該モータの上記出力軸に支持される偏心体（２００ｇ）とを備えており、
回転手段において、
回転体は、一図柄変動において２種類の回転速度のうちの低い回転速度にて回転した後当該低い回転速度よりも高い回転速度にて回転するようになっており、
振動発生手段において、モータは、上記モータ本体にて、左右両側弾性スペーサ部材を結ぶ直線からずれて位置するように可振板に支持されていることを特徴とする。
【０００９】
これによれば、回転手段の回転体は、一図柄変動において２種類の回転速度のうちの低い回転速度にて回転した後当該低い回転速度よりも高い回転速度にて回転するようになっている。
【００１０】
このように、回転体が、一図柄変動において、低い回転速度にて回転した後高い回転速度にて回転するようになると、回転体の低い回転速度から高い回転速度への上昇でもって、遊技者は、例えば、大当たりを期待する等の遊技上の興趣を感受し得る。
【００１１】
また、振動発生手段が、その偏心体にて、モータの回転に伴い偏心回転することにより、出力軸、モータ本体及び左右両側弾性スペーサ部材を介し、振動を操作ボタンに対し伝達可能に可振板に発生させると、当該振動が、可振板により、操作ボタンに伝達される。
【００１２】
ここで、振動発生手段において、モータは、モータ本体にて、左右両側弾性スペーサ部材を結ぶ直線からずれて位置するように可振板に支持されている。これにより、可振板は、その厚さ方向に、左右両側弾性スペーサ部材の振動に伴う弾性変形に応じて振動するだけでなく、モータ本体の左右両側弾性スペーサ部材を結ぶ直線からのずれに応じて中心線を基準としてシーソー的にも振動し得る。
【００１３】
従って、操作ボタンは、左右両側弾性スペーサ部材の弾性変形に応じた振動及びモータ本体の左右両側弾性スペーサ部材を結ぶ直線からのずれに応じたシーソー的振動を受けて振動することで、遊技者は、その手により操作ボタンに触れたとき、上述のような操作ボタンの振動を感知して、リーチや大当たりを期待する等の遊技興趣を期待し得る。
【００１５】
また、本発明に係る遊技機は、請求項２の記載によれば、演出操作装置（ＢＧ）及び回転手段（ＲＭ）を備える。
【００１６】
当該遊技機において、
回転手段は、回転軸（１６１）と、当該回転軸により支持される回転体（ＲＤ）と、当該回転体を回転可能に支持するように設けられる支持部材（１５０ｂ）とを有して、期待度の高い演出態様或いは期待度の低い演出態様を回転体の表面の絵柄にて報知するようになっており、
演出操作装置は、
ベース(１４０ａ）と、
当該ベースに押動可能に支持してなる操作ボタン（１４０ｃ）と、
当該操作ボタンに対し振動を伝達可能に設けてなる可振板（２００ｄ）と、
当該可振板の面に沿う中心線（Ｑ）に対する法線（Ｐ）上にて上記中心線の左右両側に可振板及びベースに接触可能に設けてなる左右両側弾性スペーサ部材（２２０ｃ、２２０ｄ）と、
可振板に振動を発生させるように設けてなる振動発生手段（ＶＭ）とを具備してなり、
当該振動発生手段は、モータ本体（２１４）及び当該モータ本体から同軸的に延出する出力軸（２１５）を有するモータ（２００ｆ）と、当該モータの上記出力軸に支持される偏心体（２００ｇ）とを備えており、
回転手段において、
回転体は、一図柄変動において２種類の回転速度のうちの低い回転速度にて回転した後当該低い回転速度よりも高い回転速度にて回転するようになっており、
振動発生手段において、モータは、左右両側弾性スペーサ部材を結ぶ直線からずれて偏心体を位置させるように、上記モータ本体にて、可振板に支持されていることを特徴とする。
【００１７】
これによれば、回転手段の回転体は、一図柄変動において２種類の回転速度のうちの低い回転速度にて回転した後当該低い回転速度よりも高い回転速度にて回転するようになっている。
【００１８】
このように、回転体が、一図柄変動において、低い回転速度にて回転した後高い回転速度にて回転するようになると、回転体の低い回転速度から高い回転速度への上昇でもって、遊技者は、例えば、大当たりを期待する等の遊技上の興趣を感受し得る。
【００１９】
また、振動発生手段は、その偏心体にて、モータの回転に伴い偏心回転することにより、出力軸、モータ本体及び左右両側弾性スペーサ部材を介し、振動を操作ボタンに対し伝達可能に可振板に発生させると、当該振動が、可振板により、操作ボタンに伝達される。
【００２０】
ここで、振動発生手段において、モータは、左右両側弾性スペーサ部材を結ぶ直線からずれて偏心体を位置させるように、モータ本体にて、可振板に支持されている。これにより、可振板は、その厚さ方向に、左右両側弾性スペーサ部材の振動に伴う弾性変形に応じて振動するだけでなく、偏心体の左右両側弾性スペーサ部材を結ぶ直線からのずれに応じて中心線を基準としてシーソー的にも振動し得る。
【００２１】
従って、操作ボタンは、左右両側弾性スペーサ部材の弾性変形に応じた振動及び偏心体の左右両側弾性スペーサ部材を結ぶ直線からのずれに応じたシーソー的振動を受けて振動することで、遊技者は、その手により操作ボタンに触れたとき、上述のような操作ボタンの振動を感知して、リーチや大当たりを期待する等の遊技興趣を期待し得る。
【発明の効果】
【００２３】
本発明によれば、回転体が、一図柄変動において、低い回転速度にて回転した後高い回転速度にて回転するようになると、回転体の低い回転速度から高い回転速度への上昇でもって、遊技者は、例えば、大当たりを期待する等の遊技上の興趣を感受し得る。
【００２４】
また、振動発生手段が、その偏心体にて、モータの回転に伴い偏心回転することにより、出力軸、モータ本体及び左右両側弾性スペーサ部材を介し、振動を操作ボタンに対し伝達可能に可振板に発生させると、当該振動が、可振板により、操作ボタンに伝達される。
【００２５】
ここで、振動発生手段において、モータは、モータ本体にて、左右両側弾性スペーサ部材を結ぶ直線からずれて位置するように、可振板に支持されている。これにより、可振板は、その厚さ方向に、左右両側弾性スペーサ部材の振動に伴う弾性変形に応じて振動するだけでなく、モータ本体の左右両側弾性スペーサ部材を結ぶ直線からのずれに応じて中心線を基準としてシーソー的にも振動し得る。
【００２６】
従って、操作ボタンは、左右両側弾性スペーサ部材の弾性変形に応じた振動及びモータ本体の左右両側弾性スペーサ部材を結ぶ直線からのずれに応じたシーソー的振動を受けて振動することで、遊技者は、その手により操作ボタンに触れたとき、上述のような操作ボタンの振動を感知して、リーチや大当たりを期待する等の遊技興趣を期待し得る。
【００２７】
また、上述したごとく、大当たりのときには、可振板の振動が発生し、または回転体の回転速度が高い回転速度になるようになっている。従って、可振板の振動が発生したり、回転体の回転速度が高い回転速度になると、遊技者は、その遊技において、大当たりを期待する等の興趣を感受し得る。
【００２８】
なお、上記各手段の括弧内の符号は、後述する実施形態に記載の具体的手段との対応関係を示す。
【図面の簡単な説明】
【００２９】
【図１】本発明に係るパチンコ遊技機の第１実施形態を示す部分破断前面図である。
【図２】図１のパチンコ遊技機を示す斜視図である。
【図３】図２のパチンコ遊技機を示す部分破断斜視図である。
【図４】図３のパチンコ遊技機を、操作ハンドルの分解状態にて示す部分破断図である。
【図５】図４の演出操作装置を示す拡大斜視図である。
【図６】図５の演出操作装置をその底面側からみた斜視図である。
【図７】図４の演出操作装置の底面図である。
【図８】図５の演出操作装置を、筐体を省略した状態で示す斜視図である。
【図９】図８の演出操作装置を示す部分破断右側面図である。
【図１０】図５の演出操作装置を示す縦断面図である。
【図１１】図５の演出操作装置を示す縦断面図である。
【図１２】図８の演出操作装置を示す上面図である。
【図１３】図８の演出操作装置の回転機構を示す拡大斜視図である。
【図１４】図１３の回転機構を斜め前下方から見た斜視図である。
【図１５】図１３の回転体、Ｌ字状基体及び横駆動機構を示す部分破断図である。
【図１６】図１の演出操作装置を、図５の回転機構とは９０度異なる回転位置にある回転機構の状態にて示す斜視図である。
【図１７】図１６の演出操作装置を示す上面図である。
【図１８】図１６の演出操作装置を示す右側面図である。
【図１９】図１のパチンコ遊技機の電子制御システムを示すブロック回路図である。
【図２０】図１９の主制御装置、センサ群及び第１被駆動素子群を表すブロック回路図である。
【図２１】図２０の主制御装置における入力ポートの各ビットと入力データとの関係を示す図である、
【図２２】図２０の主制御装置における各出力ポートの各ビットと出力データとの関係を示す図である。
【図２３】図１９の外部端子盤を示す詳細ブロック回路図である。
【図２４】図１９の主制御装置、外部端子盤及びホールコンピュータを、主制御装置から外部端子盤への出力データとの関係にて示すブロック回路図である。
【図２５】図１９の副制御装置、電源回路及び第２被駆動素子群を表すブロック回路図である。
【図２６】図２０の主制御装置のマイクロコンピュータにより実行される主制御プログラムを表すフローチャートである。
【図２７】図２０の主制御装置のマイクロコンピュータにより実行される第１主タイマー割り込み制御プログラムを表すフローチャートである。
【図２８】図２０の主制御装置のマイクロコンピュータにより実行される第２主タイマー割り込み制御プログラムを表すフローチャートである。
【図２９】図２７の第１始動入賞口ルーチンを表す詳細フローチャートである。
【図３０】図２７の第２始動入賞口ルーチンを表す詳細フローチャートである。
【図３１】図２７のゲート処理ルーチンを表す詳細フローチャートである。
【図３２】図２７の特別図柄処理ルーチンを表す詳細フローチャートである。
【図３３】図２７の普通図柄処理ルーチンを表す詳細フローチャートである。
【図３４】図２５のシステム制御部により実行される演出制御プログラムを示すフローチャートの一部である。
【図３５】図２５のシステム制御部により実行される演出制御プログラムを示すフローチャートの一部である。
【図３６】図２５のシステム制御部により実行される副タイマー割り込み制御プログラムを表すフローチャートの一部である。
【図３７】図２５のシステム制御部により実行される副タイマー割り込み制御プログラムを表すフローチャートの一部である。
【図３８】図２５のシステム制御部により実行される副タイマー割り込み制御プログラムを表すフローチャートの一部である。
【図３９】図２５のシステム制御部により実行される副タイマー割り込み制御プログラムを表すフローチャートの一部である。
【図４０】図２５のシステム制御部により実行される副タイマー割り込み制御プログラムを表すフローチャートの一部である。
【図４１】装飾図柄変動及び回転体回転速度を時間との関係にて示すタイミングチャートである。
【図４２】本発明の第２実施形態の要部を示す縦断面図である。
【図４３】本発明の第３実施形態の要部を示す縦断面図である。
【図４４】本発明の第４実施形態の要部を示す底面図である。
【図４５】本発明の第５実施形態の要部を示す底面図である。
【発明を実施するための形態】
【００３０】
以下、本発明の各実施形態を図面により説明する。
（第１実施形態）
図１は、本発明がパチンコ遊技機に適用されてなる第１実施形態を示す。当該パチンコ遊技機は、パチンコホール内の島に立設されるもので、このパチンコ遊技機は、図１〜図３のいずれかにて示すごとく、機枠Ｆ、遊技機本体Ｂ及び前扉Ｄにより構成されている。
【００３１】
遊技機本体Ｂは、その枠体（図示しない）にて、機枠Ｆに対し、前後方向に開閉可能に支持されている。当該遊技機本体Ｂは、遊技盤１０を備えており、この遊技盤１０は、前扉Ｄの透明板１００（後述する）の裏面側に位置するように、遊技機本体Ｂに設けられている。しかして、当該遊技盤１０は、その遊技領域１１内に案内レール２０（後述する）を介し球発射装置（図示しない）からの遊技球を案内して遊技領域１１に沿い下方に向けて転動させる。
【００３２】
また、遊技機本体Ｂは、案内レール２０を備えており、当該案内レール２０は、遊技盤１０の盤面にその外周部に沿い設けられている。これにより、当該案内レール２０は、その内周側にて、遊技盤１０の盤面上に上述した遊技領域１１を形成する。
【００３３】
また、遊技機本体Ｂは、始動入賞口装置３０（以下、第１始動入賞口装置３０ともいう）、始動入賞口装置４０（以下、第２始動入賞口装置４０ともいう）、スルーゲート５０、複数の普通入賞口装置６０及び大入賞口装置７０を備えており、第１始動入賞口装置３０、第２始動入賞口装置４０、スルーゲート５０、各普通入賞口装置６０及び大入賞口装置７０は、図１にて示す各位置にて、遊技盤１０の盤面に遊技領域１１内にて組み付けられている。
【００３４】
第１始動入賞口装置３０は、センター構造物（図示しない）の下縁中央部の直下に位置している。この第１始動入賞口装置３０は、その始動入賞口（以下、第１始動入賞口ともいう）への遊技球の入賞に基づき、大当たり抽選（大当たりか否かの抽選）の機会を提供するとともに、所定数の賞球を払い出す契機を提供する。なお、上記センター構造物は、遊技盤１０の中央開口部（図示しない）の上側に設けられている。また、上記第１始動入賞口への遊技球の入賞は、第１始動入賞口センサＳ１（図２０参照）により検出される。
【００３５】
第２始動入賞口装置４０は、両羽根を有する電動チューリップ部材からなるもので、当該第２始動入賞口装置４０は、普通電動役物としての役割を果たすべく、第１始動入賞口装置３０の直下に位置している。
【００３６】
この第２始動入賞口装置４０である電動チューリップ部材は、その始動入賞口（以下、第２始動入賞口ともいう）への遊技球の入賞を、両羽根の閉鎖状態にて規制し、また、両羽根の開放状態にて、第２始動入賞口への遊技球の入賞を容易にして、当該入賞に基づき所定数の賞球の払い出しの契機を与えるとともに、第１始動入賞口装置２０と同様に大当たり抽選の機会を提供する。なお、上記第２始動入賞口への遊技球の入賞は、第２始動入賞口センサＳ２（図２０参照）により検出される。
【００３７】
ここで、遊技球のスルーゲート５０（後述する）に対する通過でもってなされる普通図柄の抽選において当選になると、当該第２始動入賞口装置４０は、その両羽根を、所定の解放時間ずつ、所定回数、開放するようになっている。なお、第２始動入賞口装置４０は、その両羽根にて、遊技盤１０の裏面に設けた電チューアクチュエータ４１により開閉駆動される。
【００３８】
スルーゲート５０は、図１にて示すごとく、遊技盤１０の盤面の左側部位に設けられており、このスルーゲート５０は、その直上から遊技盤１０の盤面に沿い下方へ転動する遊技球に対し通過する機会を与える。これにより、当該スルーゲート５０は、その遊技球の通過に基づき、普通図柄の抽選の契機を提供する。なお、スルーゲート５０に対する遊技球の通過は、ゲートセンサＳ３（図２０参照）により検出される。
【００３９】
複数の普通入賞口装置６０は、図１にて示すごとく、大入賞口装置７０の左右両側に位置しており、左側の両普通入賞口装置６０は、その直上から下方へ転動する遊技球に対し入賞する機会を与える。また、右側の両普通入賞口装置６０は、その直上から下方へ転動する遊技球に対し入賞する機会を与える。しかして、各普通入賞口装置６０は、その普通入賞口への遊技球の入賞に伴い、所定数の賞球を払い出す契機を与える。
【００４０】
大入賞口装置７０は、図１にて示すごとく、第２始動入賞口装置４０の直下に位置しており、この大入賞口装置７０は、その大入賞口を開くことによって、遊技盤１０の盤面に沿い転動する遊技球に対し上記大入賞口に入賞する機会を与える。また、当該大入賞口装置７０は、その大入賞口を閉鎖することによって、遊技球の大入賞口への入賞を規制する。なお、この大入賞口装置７０による大入賞口の開放は、第１始動入賞口装置３０の始動入賞口への遊技球の入賞による抽選結果に基づき大当たりが成立したときになされる。なお、大入賞口装置７０の大入賞口の開閉は、遊技盤１０の裏面に設けた大入賞口アクチュエータ７１により駆動される。
【００４１】
また、当該遊技機本体Ｂは、図１にて示すごとく、演出表示装置８０を備えており、当該演出表示装置８０は、遊技盤１０の上記中央開口部に設けられている。この演出表示装置８０は、液晶表示装置からなるもので、当該演出表示装置８０は、その表示パネル８１により、遊技の進行に伴い、後述する画像制御部５００ｃ（図２５参照）による制御のもとに、例えば、大当たり抽選の抽選結果に応じて複数の装飾図柄（左図柄、中図柄及び右図柄）を変動表示したり、或いはキャラクタの登場による予告演出を変動表示する等の種々の演出表示を行う。
【００４２】
また、当該遊技機本体Ｂは、図１にて示すごとく、普通図柄表示器８０ａ及び第１及び第２の特別図柄表示器８０ｂ、８０ｃを備えている。これら普通図柄表示器８０ａ及び第１及び第２の特別図柄表示器８０ｂ、８０ｃは、案内レール２０の右下側にて、遊技盤１０の盤面の右下隅角部に配設されている。
【００４３】
本第１実施形態では、これら普通図柄表示器８０ａ及び第１及び第２の特別図柄表示器８０ｂ、８０ｃは、後述する主制御装置３００（図２０）により駆動制御される。
【００４４】
普通図柄表示器８０ａは、複数の７セグメント発光ダイオードからなるもので、当該普通図柄表示器８０ａは、スルーゲート５０を通過する遊技球に対する図柄抽選の結果に基づき、当たり図柄或いはハズレ図柄を表示する。
【００４５】
第１特別図柄表示器８０ｂは、複数の７セグメント発光ダイオードからなるもので、この特別図柄表示器８０ｂは、後述のごとく、遊技球の第１始動入賞口装置３０の始動入賞口への入賞に対する第１始動入賞口センサＳ１の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、第１特別図柄表示器８０ｂは、当該当たりに対応した特別図柄変動を停止表示して、大入賞口装置７０による大入賞口の開放の契機を提供する。
【００４６】
第２特別図柄表示器８０ｃは、複数の７セグメント発光ダイオードからなるもので、この第２特別図柄表示器８０ｃは、後述のごとく、遊技球の第２始動入賞口装置４０の始動入賞口への入賞に対する第２始動入賞口センサＳ２（図２０参照）の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、第２特別図柄表示器８０ｃは、当該当たりに対応した特別図柄変動を停止表示して、大入賞口装置７０による大入賞口の開放の契機を提供する。
【００４７】
前扉Ｄは、図１〜図３のいずれかにて示すごとく、前枠９０及び透明板１００を有しており、当該前扉Ｄは、その前枠９０の左縁部にて、遊技機本体Ｂの枠体の左縁部を介し、機枠Ｆの左縁部に前後方向に開閉可能に支持されている。また、透明板１００は、前枠９０の中空部に嵌め込まれており、当該透明板１００は、遊技機本体Ｂの遊技盤１０にその前側から対向し得るようになっている。
【００４８】
当該前扉Ｄは、可動ランプ装飾部材ＬＰ及び枠ランプＷを備えている。可動ランプ装飾部材ＬＰは、前枠９０の上部に前後方向に移動可能に支持されており、当該可動ランプ装飾部材ＬＰは、例えば、特別図柄変動の開始に伴い点灯演出を行いながら前側に向けて演出回転位置に移動し、特別図柄変動の終了に伴い点灯演出を終了するとともに後方に向けて移動し格納位置に戻る。
【００４９】
枠ランプＷは、図１にて示すごとく、当該前扉Ｄの前枠９０の左右両側部に設けられており、当該枠ランプＷは、当該パチンコ遊技機における遊技中に大当たりになったとき、レインボウ演出態様にて大当たり演出を行う。また、当該枠ランプＷは、当該パチンコ遊技機における客待ちモードの際に上記レインボウ演出態様に類似する演出態様にて客待ちモード演出を行う。
【００５０】
また、当該前扉Ｄは、図１〜図３のいずれかにて示すごとく、操作ハンドル１１０、球受け皿１２０及びボタン式演出操作装置ＢＧを備えている。
【００５１】
操作ハンドル１１０は、上記球発射装置（図示しない）の一構成部材として、遊技機本体Ｂの右側下部にその前面側から支持されており、この操作ハンドル１１０は、遊技者による操作のもと、上記球発射装置に供給される遊技球を上記遊技盤の遊技領域内に向け発射するようになっている。
【００５２】
本第１実施形態においては、操作ハンドル１１０は、図２にて示すごとく、ハンドルケーシング１１０ａを有しており、当該ハンドルケーシング１１０ａは、図４にて示すごとく、筒状ケーシング本体１１１及び半球状の透光カバー１１２でもって構成されている。
【００５３】
ケーシング本体１１１は、その底部にて、遊技機本体Ｂの右側下部にその前面側から装着されており、当該ケーシング本体１１１は、その開口部にて前方を臨んでいる。透光カバー１１２は、その外周縁部にて、ケーシング本体１１１の開口部に係合することで、ハンドルケーシング１１０ａを構成している。
【００５４】
また、当該操作ハンドル１１０は、電飾体１１３その他の部品を有しており、これら電飾体１１３その他の部品は、ハンドルケーシング１１０ａに内蔵されている。ここで、電飾体１１３は、複数の発光ダイオードを回路基板に接続してなるもので、当該電飾体１１３は、複数の発光ダイオードにより、大当りを表す発光態様でもって透光カバー１１２を通して前方へ発光する。なお、上記球発射装置は、遊技機本体Ｂの右側下部にその裏面側から取り付けられている。
【００５５】
球受け皿１２０は、払い出されてきた賞球など遊技球を一旦貯留するように、前扉Ｄの前枠９０の突出部９０ａ(図４参照）に形成されている。具体的には、当該球受け皿１２０は、上方から突出部９０ａ内に向けて凹状に形成されている。これにより、当該球受け皿１２０は、前枠９０の突出部９０ａから上方に向けて開口している。なお、突出部９０ａは、前枠９０の下部にて前方へ突出するように形成されている。
【００５６】
しかして、球受け皿１２０は、その内部に払い出される遊技球を一時的に貯留するとともに、当該貯留遊技球を、例えば、操作ハンドル１１０の回動操作に伴い、上記発射装置に供給する。
【００５７】
ボタン式演出操作装置ＢＧは、前枠９０の突出部９０ａの左右方向中央部位（遊技機本体Ｂの幅方向中央部）にその前側から凹状に切り欠き形成してなる凹状切り欠き部内に嵌装されている。
【００５８】
当該演出操作装置ＢＧは、図１〜図６のいずれかにて例示するごとく、筐体１３０と、ボタン機構１４０と、回転機構ＲＭと、振動機構ＶＭとを備えている。筐体１３０は、図５にて例示するごとく、六角形状の筒体からなるもので、当該筐体１３０は、その上端開口部１３１にて、斜め前側上方へ開口するように、前枠９０の突出部９０ａの凹状切り欠き部内にその前方から嵌装されている。
【００５９】
ここで、当該筐体１３０は、その前側部位にて、前枠９０の突出部９０ａの凹状切り欠き部からその前方へ突出しており、当該筐体１３０の後側部位は、球受け皿１２０内に突出している。
【００６０】
ボタン機構１４０は、図５〜図９のいずれかにて示すごとく、ボタンベース１４０ａと、支持部材１４０ｂと、操作ボタン１４０ｃと、両前側コイルスプリング１４０ｄ及び両後側コイルスプリング１４０ｅ（図９では、一方の後側コイルスプリング１４０ｅのみを示す）とを備えている。
【００６１】
ボタンベース１４０ａは、支持部材１４０ｂ（図８参照）を介して回転機構ＲＭをその下方から支持するように、筐体１３０の下側にて、前枠９０の突出部９０ａの凹状切り欠き部の下端部内に設けられている。
【００６２】
当該ボタンベース１４０ａは、図９にて例示するごとく、傾斜状上壁１４６ａと、当該傾斜状上壁１４６ａの外周部から下方へ延出する周壁１４６ｂとを備えており、当該ボタンベース１４０ａは、周壁１４６ｂの下端開口部にて、前枠９０の下端面と同一面状に位置する。ここで、当該周壁１４６ｂは、その前側から後側にかけて傾斜状に厚くなるように形成されている。これにより、筐体１３０が、その底壁を介し、ボタンベース１４０ａにより、斜め前側上方へ傾斜して位置するように支持されている。なお、周壁１４６ｂは、その前側周壁部にて、図６及び図７にて示すごとく、六角形状の筐体１３０前側部位の形状に合せたすぼまり形状となっている。
【００６３】
支持部材１４０ｂは、操作ボタン１４０ｃ内に収容されており、当該支持部材１４０ｂは、図６、図８及び図９のいずれかにて示すごとく、支持板１４１、左右前側ボス１４２及び左右後側ボス１４３により一体的に構成されている。
【００６４】
支持板１４１は、操作ボタン１４０ｃ内にて、当該操作ボタン１４０ｃに支持されており、当該支持板１４１は、操作ボタン１４０ｃとともにその軸方向に変位可能となっている。このことは、支持部材１４０は、その全体構成にて、操作ボタン１４０ｃとともにその軸方向に変位可能であることを意味する。なお、支持板１４１は、上述のように操作ボタン１４０ｃに支持されることで、当該操作ボタン１４０ｃの下端開口部１４４を閉じる底壁としての役割をも果たす。
【００６５】
当該支持板１４１は、図９から分かるように、前側板部１４１ａと、この前側板部１４１ａの後端部から折れ曲がるように延出する後側板部１４１ｂとにより構成されている。
【００６６】
前側板部１４１ａは、左右前側ボス１４２及び左右前側コイルスプリング１４０ｄを介し後述のごとく上下方向に変位可能にボタンベース１４０ａに支持されている（図８或いは図９参照）。
【００６７】
ここで、左右前側ボス１４２は、共に、同一形状からなるもので、当該左右前側ボス１４２は、前側板部１４１ａの左右両側部位にて、当該前側板部１４１ａの前後方向中間部位から下方へ延出されている。
【００６８】
当該左右前側ボス１４２は、それぞれ、図９にて例示するごとく、角柱部１４２ａ及び円柱部１４２ｂでもって構成されている。
【００６９】
左前側ボス１４２は、その角柱部１４２ａにて、前側板部１４１ａの前後方向中間部位のうちの左側部から下方に向けて延出されている。ここで、角柱部１４２ａは、その傾斜状延出基端部にて、前側板部１４１ａを操作ボタン１４０ｃの下端開口部１４４に対し図９にて例示するごとく傾斜状に支持するように、前側板部１４１ａから下方へ延出されている。
【００７０】
また、左前側ボス１４２は、その円柱部１４２ｂにて、角柱部１４２ａの延出端部から操作ボタン１４０ｃの下端開口部１４４（図９参照）内にて下方に向けて軸方向に延出されて、左前側コイルスプリング１４０ｄを通りボタンベース１４０ａに上下方向に変位可能に支持されている。ここで、当該円柱部１４２ｂは、その延出端部にて、ボタンベース１４０ａの傾斜状上壁１４６ａの左前側開口部１４６ｃ（図９参照）及び後述する可振板２００ｄ（図６及び図７参照）の左前側貫通穴部２１０（後述する）に変位可能に嵌装されている。
【００７１】
一方、右前側ボス１４２は、その角柱部１４２ａにて、前側板部１４１ａの前後方向中間部位にて、当該前側板部１４１ａの右側部から下方に向けて延出されている。ここで、右前側ボス１４２の角柱部１４２ａは、その傾斜状延出基端部にて、前側板部１４１ａを操作ボタン１４０ｃの下端開口部１４４に対し傾斜状に支持するように、前側板部１４１ａから下方へ延出されている。
【００７２】
また、右前側ボス１４２において、円柱部１４２ｂは、角柱部１４２ａの延出端部から操作ボタン１４０ｃの下端開口部１４４内にて下方に向けて軸方向に延出されて、右前側コイルスプリング１４０ｄを通りボタンベース１４０ａに上下方向に変位可能に支持されている。ここで、当該右前側ボス１４２の円柱部１４２ｂは、その延出端部にて、ボタンベース１４０ａの傾斜状上壁１４６ａの右前側開口部１４６ｃ（図９参照）及び可振板２１０の右前側貫通穴部２１０（図６及び図７参照）に変位可能に嵌装されている。
【００７３】
左前側コイルスプリング１４０ｄは、左前側ボス１４２の円柱部１４２ｂを包囲するように、左前側ボス１４２の角柱部１４２ａの延出端部とボタンベース１４０ａの傾斜状上壁１４６ａの前側壁部との間に挟持されて、ボタンベース１４０ａの傾斜状上壁１４６ａを基準に左前側ボス１４２の角柱部１４２ａを左前側ボス１４２の円柱部１４２ｂと同軸的に斜め前側上方に向けて付勢する。
【００７４】
一方、右前側コイルスプリング１４０ｄは、右前側ボス１４２の円柱部１４２ｂを包囲するように、右前側ボス１４２の角柱部１４２ａの延出端部とボタンベース１４０ａの傾斜状上壁１４６ａとの間に挟持されて、ボタンベース１４０ａの傾斜状上壁１４６ａを基準に右前側ボス１４２の角柱部１４２ａを右前側ボス１４２の円柱部１４２ｂと同軸的に斜め前側上方に向けて付勢する。
【００７５】
支持板１４１において、後側板部１４１ｂは、上述のように前側板部１４１ａを両前側ボス１４２によりボタンベース１４０ａの傾斜状上壁１４６ａに対し傾斜状に支持することを前提に、操作ボタン１４０ｃの下端開口部１４４に沿うように前側板部１４１ａから後方へ延出されている（図９参照）。
【００７６】
左右後側ボス１４３は、円柱状のもので、当該左右後側ボス１４３は、後側板部１４１ｂの前側左右両側部位から操作ボタン１４０ｃの下端開口部１４４を通り下方に向けて延出し、かつ、左右後側コイルスプリング１４０ｅを介し後述のようにボタンベース１４０ａ内に延出している（図６或いは図９参照）。ここで、当該左右後側ボス１４３は、その各延出端部にて、ボタンベース１４０ａの傾斜状上壁１４６ａの左右後前側開口部１４６ｄ（図６及び図７参照）内に上下方向に変位可能に嵌装されている。
【００７７】
これにより、支持部材１４０ｂは、左右前側ボス１４２にて、左右前側コイルスプリング１４０ｄを介しボタンベース１４０ａに後述のごとく上下方向に変位可能に支持されるとともに、左右後側ボス１４３にて、左右後側コイルスプリング１４４ｂを介しボタンベース１４０ａに後述のごとく上下方向に変位可能に支持されている。
【００７８】
これに伴い、支持部材１４０ｂは、操作ボタン１４０ｃに対する下方への押動に基づき、支持板１４１により左右前側コイルスプリング１４０ｄ及び左右後側コイルスプリング１４０ｅを圧縮しながら当該操作ボタン１４０ｃと共に下方へ変位する。また、操作ボタン１４０ｃに対する下方への押動が解除されると、支持部材１４０ｂは、左右前側コイルスプリング１４０ｄ及び左右後側コイルスプリング１４０ｅの各弾力に基づき、操作ボタン１４０ｃと共に上方へ変位する。
【００７９】
左後側コイルスプリング１４０ｅは、左後側ボス１４３を包囲するように、支持板１４１の後側板部１４１ｂとボタンベース１４０ａの傾斜状上壁１４６ａの後側壁部との間に挟持されて、ボタンベース１４０ａの傾斜状上壁１４６ａを基準に支持板１４１の後側板部１４１ｂを左後側ボス１４３と同軸的に斜め前側上方に向けて付勢する。
【００８０】
一方、右後側コイルスプリング１４０ｅは、右後側ボス１４３を包囲するように、支持板１４１の後側板部１４１ｂとボタンベース１４０ａの傾斜状上壁１４６ａの後側壁部との間に挟持されて、ボタンベース１４０ａの傾斜状上壁１４６ａを基準に支持板１４１の後側板部１４１ｂを右後側ボス１４３と同軸的に斜め前側上方に向けて付勢する。
【００８１】
操作ボタン１４０ｃは、図８や図１２にて例示するごとく、六角形状の透明筒体からなるもので、当該操作ボタン１４０ｃは、その下端開口部１４４から筐体１３０内に軸方向に変位可能に収容されている。当該操作ボタン１４０ｃは、その上壁部１４５にて、斜め前側上方を臨んでおり、当該操作ボタン１４０ｃは、その上壁部１４５にて上方から押動されて、支持部材１４０ｂとともに、左右前側コイルスプリング１４０ｄ及び左右後側コイルスプリング１４０ｅの各付勢力に抗して、ボタンベース１４０ａの傾斜状上壁１４６ａに向けて変位する。また、当該操作ボタン１４０ｃは、上壁１４５に対する押動の解除により、左右前側コイルスプリング１４０ｄ及び左右後側コイルスプリング１４０ｅによりその各付勢力のもとに、支持部材１４０ｂとともに、ボタンベース１４０ａの傾斜状上壁１４６ａから離れる方向に変位する。
【００８２】
また、ボタン機構１４０は、図８、図９〜図１１及び図１６のいずれかにて示すごとく、演出ボタンセンサ１４０ｆを備えている。当該演出ボタンセンサ１４０ｆは、光センサからなるもので、当該演出ボタンセンサ１４０ｆは、図８及び図９にて例示するごとく、操作ボタン１４０ｃ内にて、支持板１４１の前側板部１４１ａと、ボタンベース１４０ａの傾斜状上壁１４６ａの前側壁部との間において、支持板１４１の前側板部１４１ａ及び後述する支持部材１４０ｇ（図８参照）でもって、支持されている。このことは、当該演出ボタンセンサ１４０ｆは、支持板１４１の前側部位（反射板１７０ａの前側部位に対応）の下側領域にてその前側領域部内に配設されていることを意味する。換言すれば、このことは、当該演出ボタンセンサ１４０ｆは、操作ボタン１４０ｃの下端開口部１４４内の前側領域及びその下側領域の双方のうち前側領域部内に配設されていることを意味する。
【００８３】
当該演出ボタンセンサ１４０ｆは、センサ本体１４７及び遮光体１４８でもって構成されている。センサ本体１４７は、下壁１４７ａを有しており、当該下壁１４７ａは、後述する支持部材１４０ｇの支持壁部１４９（図８参照）の左右方向中央部位からその前方へ延出している。
【００８４】
また、当該センサ本体１４７は、発光素子１４７ｂ及び受光素子１４７ｃを備えており、発光素子１４０ｂは、下壁１４７ａの上面から遮光体１４８に向けて延出されている。受光素子１４７ｃは、発光素子１４７ｂからの光を受光するように発光素子１４７ｂに対向して、下壁１４７ａの上面から遮光体１４８に向け延出されている。
【００８５】
遮光体１４８は、上壁１４８ａを備えており、当該上壁１４８ａは、支持板１４１の前側板部１４１ａのうちセンサ本体１４７に対する対向部位から当該センサ本体１４７に向けて下方へ延出されている。
【００８６】
また、当該遮光体１４８は、板状遮光片１４８ｂを備えており、当該板状遮光片１４８ｂは、上壁１４８ａの下面から下方へセンサ本体１４７の発光素子１４７ｂと受光素子１４７ｃとの間に向けて延出されている。
【００８７】
しかして、当該演出ボタンセンサ１４０ｆにおいては、支持板１４１が左右前側コイルスプリング１４０ｄ及び左右後側コイルスプリング１４０ｅにより図９にて図示上方へ付勢されているとき、遮光体１４８は、その遮光片１４８ｂにて、センサ本体１４７の発光素子１４７ｂ及び受光素子１４７ｃの上方に位置する。
【００８８】
また、支持板１４１が操作ボタン１４０ｃに対する押動に伴い左右前側コイルスプリング１４０ｄ及び後側コイルスプリング１４０ｅの付勢力に抗して下方へ変位したとき、遮光体１４８は、その遮光片１４８ｂにて、センサ本体１４７の発光素子１４７ｂ及び受光素子１４７ｃの間に進入し、受光素子１４７ｃを発光素子１４７ｂの光から遮断する。このことは、演出ボタンセンサ１４０ｆは、遮光片１４８ｂによる受光素子１４７ｃの発光素子１４７ｂの光に対する受光の遮断、換言すれば、操作ボタン１４０ｃ及び支持板１４１の下方への変位を検出し検出信号を発生することを意味する。
【００８９】
本第１実施形態において、図８にて例示するごとく、上述した支持部材１４０ｇは、支持壁部１４９と、複数のステイ１４９ａを有している。支持壁部１４９は、複数のステイ１４９ａによりボタンベース１４０ａの傾斜状上壁１４６ａの前側壁部にその上側にて支持されている。これに伴い、演出ボタンセンサ１４０ｆの下壁１４７ａは、支持壁部１４９の左右方向中央部位にその前側へ延出するように支持されている。
【００９０】
複数のステイ１４９ａは、ボタンベース１４０ａの傾斜状上壁１４６ａの前側壁部から上方へ延出している。なお、支持壁部１４９は、矩形板状に形成されているため、複数のステイ１４９ａは、傾斜状上壁１４６ａの前側壁部のうち支持壁部１４９の各隅角部に対する各対向部位から上方へ延延出するように位置している。
【００９１】
回転機構ＲＭは、図５、図８〜図１０及び図１４のいずれかにて示すごとく、操作ボタン１４０ｃ内にて、支持部材１４０ｂにより支持されている。このことは、回転機構ＲＭは、支持部材１４０ｂと一体となって変位することを意味する。
【００９２】
当該回転機構ＲＭは、Ｌ字状基体ＢＤ、回転体ＲＤ及び反射体ＲＥを備えている。Ｌ字状基体ＢＤは、図８及び図１４のいずれかにて例示するごとく、横部材１５０ａと、縦部材１５０ｂとを備えている。横部材１５０ａは、縦断面逆Ｕ字状台１５１(図１４参照）と、横Ｕ字状脚１５２と、回転軸１５３とを有しており、縦断面逆Ｕ字状台１５１は、回転軸１５３を介しその軸周りに回転可能に支持部材１４０ｂの支持板１４１の前側板部１４１ａ上に支持されている(図８参照）。
【００９３】
ここで、回転軸１５３は、その下側軸部にて、支持板１４１の前側板部１４１ａの中央貫通孔部に回転可能にかつ当該前側板部１４１ａとともに図１０にて図示上下方向に変位可能に支持されており、当該回転軸１５３は、その下側軸部から前側板部１４１ａの法線方向に向けて上方へ延出されている。
【００９４】
Ｕ字状台１５１は、その上壁の中央部にて、回転軸１５３の延出端部に支持されている。これにより、Ｕ字状台１５１は、その上壁にて、回転軸１５３を介し支持板１４１の前側板部１４１ａにこれに平行になるように支持されて、回転軸１５３とともに回転可能となっている。
【００９５】
横Ｕ字状脚１５２は、図１４にて例示するごとく、その両脚部にて、逆Ｕ字状台１５１の上壁の面方向に沿うように、当該上壁の径方向両側部位に挿通されている。
【００９６】
縦部材１５０ｂは、図１４にて例示するごとく、扁平状ケーシング１５４を有しており、当該扁平状ケーシング１５４は、図１４及び図１５のいずれかにて示すごとく、互いに対向する逆Ｕ字状前後両側壁１５４ａ、１５４ｂと、逆Ｕ字状側壁１５４ｃとを備えている。
【００９７】
ここで、逆Ｕ字状側壁１５４ｃは、その前後両側縁部の各々にて、逆Ｕ字状前後両側壁１５４ａ、１５４ｂの各々の左側外縁部、上側外縁部及び右側外縁部に亘り固着されて、下方に向けて開口する扁平状ケーシング１５４を構成する。
【００９８】
また、逆Ｕ字状側壁１５４ｃは、その左右両側下端部にて、横Ｕ字状脚１５２の両端部にＬ字状に連結されている。これにより、縦部材１５０ｂは、その逆Ｕ字状側壁１５４ｃにより、横Ｕ字状脚１５２に対しＬ字状に支持される。
【００９９】
回転体ＲＤは、透光材料でもって、円筒状に形成されており、当該回転体ＲＤは、図１３にて例示するごとく、円筒壁１６０ａと、当該円筒壁１６０ａの軸方向前後両端側開口部を閉塞する前後両側蓋壁１６０ｂ、１６０ｃとでもって構成されている。ここで、円筒壁１６０ａの外周面には、Ｖ、×及び◎が、円筒壁１６０ａの外周面を３分割してなる各部位に描かれている。ここで、Ｖは、大当たりの演出態様を表す。×は外れの演出態様を表す。また、◎は、リーチの演出態様を表す。なお、本第１実施形態では、以下、円筒壁１６０ａは、第１演出壁１６０ａともいう。
【０１００】
また、前後両側蓋壁１６０ｂ、１６０ｃのうち、前側蓋壁１６０ｂは、縦断面凸な横Ｖ字状に形成されて、円筒壁１６０ａの軸方向前端側開口部を閉塞している。ここで、当該前側蓋壁１６０ｂの外表面には、Ｖ、×及び◎が、前側蓋壁１６０ｂの外周面をその円周方向に３分割してなる各部位に描かれている。これらＶ、×及び◎は、円筒壁１６０ａの外周面に絵がかれたＶ、×及び◎と同様である。本第１実施形態では、前側蓋壁１６０ｂに描かれた各演出態様は、回転体ＲＤの回転位置に応じて、反射体ＲＥの針１７０ｂ（後述する）により指示されるようになっている。なお、本第１実施形態では、以下、前側蓋壁１６０ｂは、第２演出壁１６０ｂともいう。
【０１０１】
このように構成してなる回転体ＲＤは、図１５にて示すごとく、その後側蓋壁１６０ｃの中央部から延出する円筒状回転軸１６１にて、Ｌ字状基体ＢＤの扁平状ケーシング１５４の逆Ｕ字状前側壁１５４ａのボス部１５４ｄに同軸的に回転自在に支持されている。これにより、回転体ＲＤは、扁平状ケーシング１５４の逆Ｕ字状前側壁１５４ａに対し直交するように回転自在に支持されている。
【０１０２】
反射体ＲＥは、図５、図８〜図９、図１３及び図１４のいずれかにて示すごとく、略矩形板状の反射板１７０ａ及び針１７０ｂを備えている。反射板１７０ａは、回転体ＲＤの直下にて、Ｌ字状基体ＢＤの横部材１５０ａの横Ｕ字状脚１５２上に載置固定されている。
【０１０３】
当該反射板１７０ａは、回転体ＲＤに対する対向面である上面１７１(図１３参照）にて、鏡面（以下、鏡面１７１ともいう）として鍍金処理等により形成されている。このため、回転体ＲＤは、反射板１７０ａの鏡面１７１にその上方から投影されることで、当該回転体ＲＤは、反射板１７０ａの鏡面１７１に虚像として投影されるようになっている。なお、上記鏡面は、鍍金処理で形成されていれば、鍍金面ともいえる。
【０１０４】
針１７０ｂは、図１３にて示すごとく、その基端部にて、反射板１７０ａの中央前端部に装着されており、当該針１７０ｂは、その基端部から上方へ回転体ＲＤの前側蓋壁１６０ｂの前側にＬ字状に延出されている。これにより、当該針１７０ｂは、その延出端部１７２(図１６参照）にて、回転体ＲＤの前側蓋壁１６０ｂに描かれた各演出態様のいずれかを回転体ＲＤの回転位置に応じて指示するようになっている。
【０１０５】
また、当該回転機構ＲＭは、図１３〜図１５のいずれかにて示すごとく、横駆動機構ＤＭＬ、電飾機構ＩＭ及び縦駆動機構ＤＭＶを備えている。
【０１０６】
横駆動機構ＤＭＬは、図１１或いは図１３にて例示するごとく、Ｌ字状基体ＢＤの縦部材１５０ｂを介し回転体ＲＤの円筒状回転軸１６１に動力伝達可能に組み付けられている。
【０１０７】
当該横駆動機構ＤＭＬは、ステップモータ１８０ａ（以下、第１ステップモータ１８０ａともいう）、ピニオン１８０ｂ及び平歯車１８０ｃを備えている。第１ステップモータ１８０ａは、モータ本体１８１ａと、当該モータ本体１８１ａ内のロータから同軸的に延出する出力軸１８１ｂとを備えている。これにより、当該ステップモータ１８０ａにおいては、モータ本体１８０ａがＬ字状基体ＢＤの扁平状ケーシング１５４のＵ字状後側壁１５４ｂに支持されており、出力軸１８０ｂが、Ｕ字状後側壁１５４ｂの一部に回転可能に貫通状に挿通されている。
【０１０８】
ピニオン１８０ｂは、ケーシング１５４内にて第１ステップモータ１８０ａの出力軸に同軸的に支持されており、当該ピニオン１８０ｂは、第１ステップモータ１８０ａと一体的に回転する。平歯車１８０ｃは、ピニオン１８０ｂと噛合するように、回転体ＲＤの円筒状回転軸１６１に同軸的に支持されている。これにより、平歯車１８０ｃは、第１ステップモータ１８０ａの回転方向とは逆方向に回転する。
【０１０９】
以上のように構成した横駆動機構ＤＭＬは、回転体ＲＤをその円筒状回転軸１６１の軸周りに回転する。
【０１１０】
電飾機構ＩＭは、図１５にて示すごとく、回転体ＲＤの内部に収容されており、当該電飾機構ＩＭは、電飾体１９０、円筒状支持筒１９０ａ及び案内筒１９０ｂを備えている。電飾体１９０は、両電飾盤１９０ｄ、１９０ｅを有している。電飾盤１９０ｄは、回路基板１９１と、複数の発光ダイオード１９２とを有しており、回路基板１９１は、支持筒部１９１ａにて、円筒状支持筒１９０ａ（後述する）を介し、扁平状ケーシング１５４のＵ字状後側壁１５４ｂに支持されている。これにより、回路基板１９１は、その表面にて、回転体ＲＤの前側蓋壁１６０ｂに対向している。このことは、電飾盤１９０ｄは、その発光面にて、前側蓋壁１６０ｂに回転体ＲＤの内側から対向することを意味する。
【０１１１】
複数の発光ダイオード１９２は、回路基板１９１にその表面側から分散状に設けられており、当該複数の発光ダイオード１９２は、前側蓋壁１６０ｂの演出態様が大当たり、リーチ或いは外れの成立の際に、大当たり、リーチ或いは外れの発光演出態様を行う。なお、支持筒部１９１ａは、回路基板１９１の裏面中央から延出されて、円筒状支持筒１９０ａに同軸的に支持されている。また、複数の発光ダイオード１９２は、回路基板１９１の配線回路に接続されている。
【０１１２】
電飾盤１９０ｅは、回路基板１９３と、複数の発光ダイオード１９４とを有しており、回路基板１９３は、回路基板１９１の左側端部からＬ字状に折れ曲がって後方へ延出するように当該回路基板１９１と一体的に設けられている。これにより、回路基板１９３は、その表面にて、回転体ＲＤの円周壁１６０ａに対向するようになっている。このことは、電飾盤１９０ｅは、その発光面にて、円周壁１６０ａに回転体ＲＤの内側から対向することを意味する。
【０１１３】
複数の発光ダイオード１９４は、回路基板１９３にその表面側から分散状に設けられており、当該複数の発光ダイオード１９４は、回転体ＲＤの円周壁１６０ａの演出態様が大当たり、リーチ或いは外れの成立の際に、大当たり、リーチ或いは外れの発光演出態様を行う。なお、複数の発光ダイオード１９４は、回路基板１９３の配線回路に接続されている。
【０１１４】
円筒状支持筒１９０ａは、ケーシング１５４の後側壁１５４ｂの上側部位から一体的に回転体ＲＤ内にその円筒状回転軸１６１を通り延出されており、当該円筒状支持筒１９０ａの延出端部には、電飾盤１９０ｄの支持筒部１９１ａＧａ同軸的に支持されている。これにより、当該円筒状支持筒１９０ａは、電飾体１９０を回転体ＲＤ内にて支持する。
【０１１５】
本第１実施形態では、両回路基板１９２、１９４の各配線回路に対する各配線Ｌは、電飾盤１９０ｄの支持筒部１９１ａ及び円筒状支持筒１９０ａの各内部を通り円筒状支持筒１９０ａの開口部１９５からケーシング１５４内に延出するとともに、さらに案内筒１９０ｂの内部を通り外方へ延出している。ここで、案内筒１９０ｂは、ケーシング１５４の後側壁１５４ｂの内面に沿い円筒状支持筒１９０ａの開口部１９５から下方へ設けられている。
【０１１６】
縦駆動機構ＤＭＶは、図１４にて例示するごとく、横部材１５０ａの回転軸１５３に動力伝達可能に横部材１５０ａに組み付けられている。
【０１１７】
当該縦駆動機構ＤＭＶは、ステップモータ２００ａ（以下、第２ステップモータ２００ａともいう）、ピニオン２００ｂ及び平歯車２００ｃを備えている。第２ステップモータ２００ａは、そのモータ本体２０１にて、回転体ＲＤ内の静止部材に支持されている。ピニオン２００ｂは、第２ステップモータ２００ａの出力軸に同軸的に支持されており、当該ピニオン２００ｂは、第２ステップモータ２００ａと一体的に回転する。
【０１１８】
平歯車２００ｃは、ピニオン２００ｂと噛合するように、横部材１５０ａの回転軸１５３に同軸的に支持されている。これにより、平歯車２００ｃは、第２ス  テップモータ２００ａの回転方向とは逆方向に回転する。
【０１１９】
以上のように構成してなる縦駆動機構ＤＭＶは、Ｌ字状基体ＢＤを回転軸１５３にてその軸周りに回転させる。
【０１２０】
振動機構ＶＭは、図６、図７及び図９〜図１１のいずれかにて示すごとく、ボタンベース１４０ａの周壁１４６ｂ内にて、傾斜状上壁１４６ａに組み付けられている。
【０１２１】
当該振動機構ＶＭは、図６、図７及び図９のいずれかにて例示するごとく、可振板２００ｄを備えており、当該可振板２００ｄは、縦断面コ字状左右両側カバー２２０ａ、２２０ｂ、上下左側環状スペーサ２２０ｃ（図６、図７及び図９のいずれか参照）及び上下右側環状スペーサ２２０ｄ（図７では一方の環状スペーサ２２０ｄのみを示す）を介し左右両側ねじ２３０ａ、２３０ｂでもってボタンベース１４０ａの傾斜状上壁１４６ａにその下面側から次のようにして組み付けられている。
【０１２２】
可振板２００ｄは、図６及び図７にて示すごとく、左右前側貫通穴部２１０及び左右後側貫通穴部２１１を有しており、左右前側貫通穴部２１０は、それぞれ、ボタンベース１４０ａの傾斜状上壁１４６ａに形成してなる左右前側開口部１４６ｃに同軸的に対応するように可振板２００ｄの前側部位に形成されている。
【０１２３】
また、左右後側貫通穴部２１１は、それぞれ、ボタンベース１４０ａの傾斜状上壁１４６ａに形成してなる左右後側開口部１４６ｄに同軸的に対応するように可振板２００ｄの前側部位に形成されている。
【０１２４】
これにより、左右前側貫通穴部２１０及び左右後側貫通穴部２１１は、可振板２００ｄにおいて矩形の４隅に位置するように形成されている。
【０１２５】
本第１実施形態では、可振板２００ｄが、その厚さ方向（上下方向）へ、左右方向中心線Ｐ（図７参照）を基準として振動可能となるように、左右前側貫通穴部２１０の各内径は、支持部材１４０ｂの左右前側ボス１４２の各円柱部１４２ｂの外径よりも大きく選定されるとともに、左右後側貫通穴部２１１の各内径は、支持部材１４０ｂの左右後側ボス１４２の各外径よりも大きく選定されている。なお、前後方向中心線Ｑは、左右方向中心線Ｐに対する法線であって、後述する振動モータ２２０ｆの回転軸と同軸的に位置する。
【０１２６】
また、可振板２００ｄは、図７にて示すごとく、左右中側貫通状長穴部２１２を有している。左中側貫通状長穴部２１２は、左前側貫通穴部２１０と左後側貫通穴部２１１との間の中央位置（左右方向中心線Ｐ上の位置）にて、可振板２００ｄに形成されている。また、右中側貫通状長穴部２１２は、右前側貫通穴部２１０と右後側貫通穴部２１１との間の中央位置（左右方向中心線Ｐ上の位置）にて、可振板２００ｄに形成されている。
【０１２７】
ここで、左右中側貫通状長穴部２１２は、前後方向には細幅状にかつ左右方向には長手状に形成されている。
【０１２８】
本第１実施形態において、可振板２００ｄは、図６、図７及び図１１のいずれかにて例示するごとく、縦駆動機構ＤＭＶのステップモータ２００ａに対する対応部位にて、開口部２１３を形成して、当該開口部２１３を通してボタンベース１４０ａの筒壁１４６ｅ（後述する）を下方へ延出させている。これにより、支持部材１４０ｂの下方への変位に伴い下方へ変位するステップモータ２００ａが、筒壁１４６ｅ内に進入可能となっている。なお、筒壁１４６ｅは、ボタンベース１４０ａの傾斜状上壁１４６ａのうちステップモータ２００ａに対する対応部位から可振板２００ｄの開口部２１３内に貫通状に延出形成されている。
【０１２９】
上述のように構成してなる可振板２００ｄは次のようにしてボタンベース１４０ａの傾斜状上壁１４６ａに組み付けられている。
【０１３０】
即ち、上下左側環状スペーサ２２０ｃは、可振板２００ｄの左中側貫通状長穴部２１２(図６参照）を挟持するように、当該左中側貫通状長穴部２１２にその両面側から重畳的に配設されている。一方、上下右側環状スペーサ２２０ｄは、可振板２００ｄの右中側貫通状長穴部２１２を挟持するように、当該右中側貫通状長穴部２１２にその両面側から重畳的に配設されている（図９参照）。
【０１３１】
本第１実施形態において、可振板２００ｄが、その厚さ方向（上下方向）へ、左右方向中心線Ｐ（図７参照）の位置を基準として各環状スペーサ２２０ｃ、２２０ｄの伸縮のもとに振動可能となるように、所定の厚さにて所定の弾力を有するゴム材料でもって形成されている。
【０１３２】
また、上下左側環状スペーサ２２０ｃは、左中側貫通状長穴部２１２の幅よりも大きく当該左中側貫通状長穴部２１２の長さよりも小さな外径を有するとともに、上下右側環状スペーサ２２０ｄは、右中側貫通状長穴部２１２の幅よりも大きく当該右中側貫通状長穴部２１２の長さよりも小さな外径を有する。
【０１３３】
左右両側カバー２２０ａ、２２０ｂは、それぞれ、円板状壁部２２１と、当該円板状壁部２２１の外周部から環状に延出する環状壁部２２２とでもって、金属材料でもって形成されている。
【０１３４】
左側カバー２２０ａは、図９にて例示するごとく、その環状壁部２２２から、上下左側環状スペーサ２２０ｃのうちの下左側環状スペーサ２２０ｃにその下方からかぶせられており、右側カバー２２０ｂは、その開口端部から、上下右側環状スペーサ２２０ｄのうちの下右側環状スペーサ２２０ｄにその下方からかぶせられている。これに伴い、左側カバー２２０ａは、その円板状壁部２２１にて、下左側環状スペーサ２２０ｃに下方から当接するとともに、右側カバー２２０ｂは、その円板状壁部２２１にて、下右側環状スペーサ２２０ｄに下方から当接する。
【０１３５】
ここで、左右両側カバー２２０ａ、２２０ｂの深さ（円板状壁部２２１の内面からの環状壁部２２２の延出長さ）は、各環状スペーサ２２０ｃ、２２０ｄの厚さよりも浅く設定されている。これにより、左右両側カバー２２０ａ、２２０ｂは、その開口端部にて、可振板２００ｄの下面から離れて位置するように維持されることで、可振板２００ｄの振動を容易にする役割を果たす。
【０１３６】
このように上下左側環状スペーサ２２０ｃ、上下右側環状スペーサ２２０ｄ及び左右両側カバー２２０ａ、２２０ｂが可振板２００ｄに配設された状態において、左右両側ねじ２３０ａ、２３０ｂのうち左側ねじ２３０ａが、左側カバー２２０ａの円板状壁部２２１に形成してなる中央孔部、下左側環状スペーサ２２０ｃの中空部、可振板２００ｄの左中側貫通状長穴部２１２及び上左側環状スペーサ２２０ｃの中空部に挿通されてボタンベース１４０ａの傾斜状上壁１４６ａに締着される。また、右側ねじ２３０ｂが、右側カバー２２０ｂの円板状壁部２２１に形成してなる中央孔部、下右側環状スペーサ２２０ｄの中空部、可振板２００ｄの右中側貫通状長穴部２１２及び上右側環状スペーサ２２０ｄの中空部に挿通されてボタンベース１４０ａの傾斜状上壁１４６ａに締着される。
【０１３７】
これにより、可振板２００ｄが、その厚さ方向へ、左右方向中心線Ｐを基準に振動可能となるようにボタンベース１４０ａの傾斜状上壁１４６ａに組み付けられる。なお、左右両側ねじ２３０ａ、２３０ｂの傾斜状上壁１４６ａに対する締着は、各環状スペーサ２２０ｃ、２２０ｄが、可振板２００ｄを振動可能にする程度の弾力性及び締着厚さを維持し得る程度の締着とする。
【０１３８】
また、当該振動機構ＶＭは、図６、図７、図９〜図１１のいずれかにて示すごとく、さらに、支持壁２００ｅ、振動モータ２００ｆ及び偏心体２００ｇを備えている。
【０１３９】
支持壁２００ｅは、可振板２００ｄのうち開口部２１３の後側部位を下方へ矩形状にて前側へＬ字状に切り起こし形成されている。振動モータ２００ｆは、支持壁２００ｅにその後側から組み付けられているもので、当該振動モータ２００ｆは、モータ本体２１４と、このモータ本体２１４のステータ内のロータから同軸的に延出する回転軸２１５とにより構成されている（図７参照）。なお、当該ロータは、回転軸２１５により同軸的に支持されており、当該ロータは、上記ステータ内に位置して上記回転軸により上記ステータの軸方向両端部に回転自在に支持されている。
【０１４０】
しかして、当該振動モータ２００ｆは、その回転軸２１５を、支持壁２００ｅに形成してなる貫通孔部を通りその後側から回転自在に延出させるとともに、モータ本体２１４を、支持壁２００ｅにその後側から支持することで、支持壁２００ｅに組み付けられている。
【０１４１】
偏心体２００ｇは、板状のもので、当該偏心体２００ｇは、その偏心軸孔部にて、振動モータ２００ｆの回転軸２１５の延出端部に同軸的に支持されている。ここで、偏心体２００ｇの回転軸２１５に対する支持位置は、振動モータ２００ｆの円滑な回転を確保し得るように、選定されている。
【０１４２】
また、本第１実施形態において、偏心体２００ｇは、操作ボタン１４０ｃを良好に振動させるに適した振動を加振板２００ｄに生じさせるように振動モータ２００ｆを振動させるべく、金属材料でもって、所定の重量及び偏心形状にて形成されている。
【０１４３】
これにより、当該偏心体２００ｇは、振動モータ２００ｆの回転に伴い振動モータ２００ｆの回転軸２１５の半径方向に偏心しながら回転する。このことは、振動モータ２００ｆが、偏心体２００ｇの偏心方向への回転軸２１５の偏心に基づきモータ本体２１４を偏心させるように振動して、当該振動に伴う上下左側環状スペーサ２２０ｃ及び上下右側環状スペーサ２２０ｄの伸縮作用のもとに、可振板２００ｄを、当該可振板にて上述のように切り起こした支持壁２００ｅを介し、厚さ方向に振動させることを意味する。ここで、振動モータ２００ｆが、出力軸２１５を左右方向中心線Ｐの中心に向けるようにして、モータ本体２１４でもって、左右方向中心線Ｐよりも後方にて、支持壁２００ｅに支持されているから、加振板２００ｄは、偏心体２００ｇの偏心方向が加振板２００ｄの厚さ方向にあるとき、左右方向中心線Ｐを基準にシーソー的にも振動し易い。
【０１４４】
次に、上記パチンコ遊技機の電子制御システムについて説明する。当該電子制御システムは、図１９にて示すごとく、電源回路ＰＳ、センサ群Ｓ、主制御装置３００、外部端子盤４００及び副制御装置５００を備えている。
【０１４５】
電源回路ＰＳは、遊技機本体Ｂの裏側右上隅角部に設けられており、当該電源回路ＰＳは、直流電源ＤＣ、電源スイッチＳＷ１及びクリアスイッチＳＷ２を備えている。直流電源ＤＣは、上記パチンコホール内に付設してある商用電源からの交流電圧を直流電圧に変換する。なお、直流電源ＤＣからの給電遮断は、当該直流電源ＤＣの故障或いは上記商用電源からの停電等の給電遮断でもって発生する。
【０１４６】
電源スイッチＳＷ１は、そのオンにより、直流電源ＤＣからの直流電圧を当該パチンコ遊技機の各種電気部品に供給する。また、電源スイッチＳＷ１は、そのオフにより、直流電源ＤＣからの直流電圧を当該パチンコ遊技機の各種電気部品から遮断する。
【０１４７】
クリアスイッチＳＷ２は、そのオンにより、主制御装置３００のＲＡＭ３４０（後述する）の記憶データをクリアするようになっている。
【０１４８】
センサ群Ｓは、図２０にて示すごとく、第１始動入賞口センサＳ１、第２始動入賞口センサＳ２、ゲートセンサＳ３、各普通入賞口センサＳ４及び大入賞口センサＳ５、第１初期回転位置センサＳ６、第１演出回転位置センサＳ７、第２初期回転位置センサＳ８、第２演出回転位置センサＳ９、磁石センサＳ１０及び振動センサＳ１１でもって構成されている。
【０１４９】
第１始動入賞口センサＳ１は、第１始動入賞口装置３０の第１始動入賞口内に設けられており、この第１始動入賞口センサＳ１は、上記第１始動入賞口内に入賞する遊技球毎に当該遊技球の入賞を検出し第１始動入賞検出信号として発生する。
【０１５０】
第２始動入賞口センサＳ２は、第２始動入賞口装置４０の第２始動入賞口内に設けられており、この第２始動入賞口センサＳ２は、上記第２始動入賞口に入賞する遊技球毎に当該遊技球の入賞を検出し第２始動入賞検出信号として発生する。
【０１５１】
ゲートセンサＳ３は、スルーゲート５０内に設けられており、このゲートセンサＳ３は、スルーゲート５０を通過する遊技球毎に当該遊技球の通過を検出しゲート通過検出信号として発生する。
【０１５２】
各普通入賞口センサＳ４は、各対応の普通入賞口装置６０の入賞口内に設けられており、当該各普通入賞口センサＳ４は、それぞれ、各対応の普通入賞口装置６０の入賞口内に入賞する遊技球毎に、当該各遊技球の入賞を検出し普通入賞検出信号として発生する。
【０１５３】
大入賞口センサＳ５は、大入賞口装置７０の大入賞口内に設けられており、この大入賞口センサＳ５は、上記大入賞口内への遊技球の入賞毎に当該遊技球の入賞を検出し大入賞検出信号を発生する。
【０１５４】
第１初期回転位置センサＳ６は、横駆動機構ＤＭＬの第１ステップモータ１８０ａの出力軸の初期回転位置を検出し第１初期回転位置検出信号を発生するように、Ｌ字状基体ＢＤのケーシング１５４内に支持されている。本第１実施形態において、第１ステップモータ１８０ａの出力軸の初期回転位置は、第１ステップモータ１８０ａの初期回転位置ともいう。
【０１５５】
また、当該初期回転位置は、次の２つの場合、即ち、
（１）．回転体ＲＤの第１演出壁１６０ａ（円筒壁１６０ａ）の外周面に描かれている各演出態様のうち、大当たりの演出態様Ｖとリーチの演出態様◎との境界線１６２（図５或いは図６参照）が前側斜め上方（遊技者の視線方向とは逆方向）に位置するときの回転体ＲＤの回転位置
（２）．回転体ＲＤの第２演出壁１６０ｂ（前側蓋壁１６０ｂ）の前面に描かれている各演出態様のうち、大当たりの演出態様Ｖとリーチの演出態様◎との境界線１６３（図１４参照）が前側斜め上方（遊技者の視線方向とは逆方向）に位置するときの回転体ＲＤの回転位置
の双方をいう。本第１実施形態では、境界線１６３は、境界線１６２と共に、第１ステップモータ１８０ａの同一回転位置に対応している（図１８参照）。なお、大当たりの演出態様とは、特別図柄変動の終了の結果大当たり成立に伴う演出態様をいう。リーチの演出態様とは、特別図柄変動の終了前で大当たり成立の可能性が継続する演出態様をいう。
【０１５６】
第１演出回転位置センサＳ７は、第２ステップモータ２００ａが初期回転位置（後述する）にあるとき、第１ステップモータ１８０ａの出力軸の演出回転位置を検出し第１周面演出回転位置検出信号を発生し、第２ステップモータ２００ａが直角回転位置（後述する）にあるとき、第１ステップモータ１８０ａの出力軸の演出回転位置を検出し第１前面演出回転位置検出信号を発生するように、Ｌ字状基体ＢＤのケーシング１５４内に支持されている。
【０１５７】
本第１実施形態において、第１ステップモータ１８０ａの出力軸の演出回転位置は、第１ステップモータ１８０ａの演出回転位置ともいう。また、当該演出回転位置は、回転体ＲＤの第１演出壁１６０ａの外周面及び第２演出壁１６０ｂ（前側蓋壁１６０ｂ）の前面の各々に描かれている各演出態様のうち、大当たりの演出態様Ｖ、リーチの演出態様◎及び外れの演出態様×のいずれかの中央線（上記境界線１６２と平行な線）が前側斜め上方（遊技者の視線方向とは逆方向）に位置するときの回転体ＲＤの回転位置をいう。
【０１５８】
第２初期回転位置センサＳ８は、縦駆動機構ＤＭＶの第２ステップモータ２００ａの出力軸の初期回転位置を検出し第２初期回転位置検出信号を発生するように、Ｌ字状基体ＢＤの横部材１５０ａの適所に支持されている。本第１実施形態において、第２ステップモータ２００ａの出力軸の初期回転位置は、第２ステップモータ２００ａの初期回転位置ともいう。また、当該初期回転位置は、回転体ＲＤがその円筒状回転軸１６１の軸方向にて遊技機本体Ｂの左右方向（幅方向）に一致するように当該回転体ＲＤを支持するＬ字状基体ＢＤの回転位置をいう。
【０１５９】
第２直角回転位置センサＳ９は、縦駆動機構ＤＭＶの第２ステップモータ２００ａの出力軸の直角回転位置を検出し第２直角回転位置検出信号を発生するように、Ｌ字状基体ＢＤの横部材１５０ａの適所に支持されている。本第１実施形態において、第２ステップモータ２００ａの出力軸の直角回転位置は、第２ステップモータ２００ａの直角回転位置ともいう。また、当該直角回転位置は、回転体ＲＤがその円筒状回転軸１６１の軸方向にて遊技機本体Ｂの前後方向に一致するように当該回転体ＲＤを支持するＬ字状基体ＢＤの回転位置をいう。
【０１６０】
磁石センサＳ１０は、遊技盤１０にその裏面側から第１始動入賞口装置３０の上側近傍に設けられており、当該磁石センサＳ１０は、遊技盤１０の盤面に沿い第１始動入賞口装置３０の上側近傍へ転動する遊技球を当該第１始動入賞口装置３０の始動入賞口内に入賞するように誘導する磁石（図示しない）を不正行為として検出し磁石検出信号を発生する。
【０１６１】
また、振動センサＳ１１は、遊技機本体Ｂの適所に設けられており、当該振動センサＳ１１は、当該パチンコ遊技機の遊技機本体Ｂや前扉Ｄを叩いて振動を発生させたとき、当該振動を不正行為として検出し振動検出信号を発生する。
【０１６２】
主制御装置３００は、図１９から分かるように、センサ群Ｓ、第１被駆動素子群ＤＲＶ１、外部端子盤４００及び副制御装置５００の間に接続されており、当該主制御装置３００は、電源ＳＷ１を介する直流電源ＤＣから当該パチンコ遊技機への給電に伴い作動状態におかれる。
【０１６３】
当該主制御装置３００は、マイクロコンピュータからなるもので、この主制御装置３００は、図２０にて示すごとく、ＣＰＵ３１０、ソフトタイマー３２０、ＲＯＭ３３０、ＲＡＭ３４０、入力ポート３５０及び各出力ポート３６０ａ〜３６０ｄを備えている。
【０１６４】
当該主制御装置３００は、ＣＰＵ３１０により、図２６にて示すフローチャートに従い主制御プログラムを実行し、当該実行中において、主制御装置３００の各内部素子の初期化処理やクリアスイッチＳＷ２からの出力に基づきＲＡＭ３４０の記憶データのクリア処理等を行う。
【０１６５】
また、当該主制御装置３００は、ＣＰＵ３１０により、ソフトタイマー３２０の第１ソフトタイマー部（後述する）からの第１主パルス信号（後述する）の発生ごとに、図２７にて示すフローチャートに従い第１主タイマー割り込みプログラムを実行する。
【０１６６】
このような第１主タイマー割り込みプログラムの実行中において、主制御装置３００は、ＣＰＵ３１０により、センサ群Ｓ（磁石センサＳ１０及び振動センサＳ１１を除く）からのいずれかの出力に基づき、第１被駆動素子群ＤＲＶ１及び副制御装置５００の制御に要する種々の演算処理を行う。この演算処理の過程において、主制御装置３００は、ＣＰＵ３１０にて、ＲＯＭ３３０の記憶データ、ＲＡＭ３４０の記憶データ或いはセンサ群Ｓのいずれかからの出力等を入力されて、種々の演算処理を行い、外部端子盤４００、第１被駆動素子群ＤＲＶ１及び副制御装置５００への出力処理をする。
【０１６７】
また、当該主制御装置３００は、ＣＰＵ３１０により、ソフトタイマー３２０の第２ソフトタイマー部からの第２主パルス信号（後述する）の発生ごとに、図２８にて示すフローチャートに従い第２主タイマー割り込みプログラムを実行する。この演算処理の実行中において、センサ群Ｓの磁石センサＳ１０や振動センサＳ１１からの出力に基づきエラー判定に要する演算処理が行われる。
【０１６８】
ソフトタイマー３２０は、第１及び第２のソフトタイマー部からなるもので、当該第１及び第２のソフトタイマー部は、それぞれ、当該パチンコ遊技機への電源投入（電源スイッチＳＷ１を介する直流電源ＤＣからの給電）に伴う主制御装置３００の作動開始と同時にリセットされて計時を開始し、この開始後、４（ｍｓ）の経過毎に、第１及び第２の主パルス信号を発生しＣＰＵ３１０に出力する。
【０１６９】
ＲＯＭ３３０は、上述した主制御プログラム並びに第１及び第２の主タイマー割り込み制御プログラムをＣＰＵ３１０による読み出し可能に予め記憶してなるものである。
【０１７０】
ＲＡＭ３４０は、不揮発性ＲＡＭからなるバックアップＲＡＭである。当該ＲＡＭ３４０は、その記憶データを、主制御装置３００に対する直流電源ＤＣからの給電遮断以後も、そのまま、保持する。
【０１７１】
なお、当該ＲＡＭ３４０は、不揮発性ＲＡＭに代えて、通常のＲＡＭ（一時的記憶素子）としてもよい。この場合には、当該一時的記憶素子は、その記憶内容を、直流電源ＤＣからの給電遮断以後、当該直流電源ＤＣとは独立したバックアップ電源（バックアップコンデンサからなる）からの給電もとに、そのまま、保持するようにする。
【０１７２】
入力ポート３５０は、センサ群Ｓからの出力をＣＰＵ３１０に入力データとして入力する役割を果たすもので、当該入力ポート３５０は、１４個のビットに割り付けられている。なお、１４個のビットは、例えば、１４個のレジスタに相当する。
【０１７３】
しかして、当該入力ポート３５０によれば、第１始動入賞口センサＳ１からの第１始動入賞検出信号がビット１を介しＣＰＵ３１０に入力され、第２始動入賞口センサＳ２からの第２始動入賞検出信号がビット２を介しＣＰＵ３１０に入力され、ゲートセンサＳ３からのゲート通過検出信号がビット３を介しＣＰＵ３１０に入力され、複数の普通入賞口センサＳ４からの各普通入賞検出信号がビット４〜７の各々を介しＣＰＵ３１０に入力され、また、大入賞口センサＳ５からの大入賞検出信号がビット８を介しＣＰＵ３１０に入力される。
【０１７４】
また、当該入力ポート３５０によれば、第１初期回転位置センサＳ６からの第１初期回転位置検出信号は、ビット９を介しＣＰＵ３１０に入力され、第１演出回転位置センサＳ７からの第１演出回転位置検出信号は、ビット１０を介しＣＰＵ３１０に入力され、第２初期回転位置センサＳ８からの第２初期回転位置検出信号は、ビット１１を介しＣＰＵ３１０に入力され、第２演出回転位置センサＳ９からの第２演出回転位置検出信号は、ビット１２を介しＣＰＵ３１０に入力される。
【０１７５】
また、当該入力ポート３５０によれば、磁石センサＳ１０からの磁石検出信号は、ビット１３を介しＣＰＵ３１０に入力され、また、振動センサＳ１１からの振動検出信号は、ビット１４を介しＣＰＵ３１０に入力される。なお、図２１は、入力ポート３５０の複数のビット１〜１４と複数の入力データとの対応関係を示す。
【０１７６】
複数の出力ポート３６０ａ〜３６０ｄのうち、出力ポート３６０ａは、ＣＰＵ３１０からの出力を出力データとして第１被駆動素子群ＤＲＶ１に出力データとして出力する役割を果たすもので、当該出力ポート３６０ａは、５個のビットに割り付けられている。出力ポート３６０ｂは、ＣＰＵ３１０からの出力を出力データとして副制御装置５００の払い出し制御部５００ａ（後述する）に出力データとして出力する役割を果たすもので、当該出力ポート３６０ｂは、５個のビットに割り付けられている。
【０１７７】
出力ポート３６０ｃは、ＣＰＵ３１０からの出力を副制御装置５００のシステム制御部５００ｂ（後述する）に出力データとして出力する役割を果たすもので、当該出力ポート３６０ｃは、５個のビットに割り付けられている。また、出力ポート３６０ｄは、ＣＰＵ３１０からの出力を出力データとして外部端子盤４００（後述する）に出力データとして出力する役割を果たすもので、当該出力ポート３６０ｄは、１０個のビットに割り付けられている。なお、各出力ポート３６０ａ〜３６０ｄにおいて、ビットは、例えば、レジスタに相当する。
【０１７８】
しかして、出力ポート３６０ａによれば、電チューアクチュエータ駆動信号がビット１を介し電チューアクチュエータ４１に出力され、大入賞口アクチュエータ駆動信号がビット２を介し大入賞口アクチュエータ７１に出力され、普通図柄変動表示信号がビット３を介し普通図柄表示器８０ａに出力され、第１特別図柄変動表示信号がビット４を介し第１特別図柄表示器８０ｂに出力され、また、第２特別図柄変動表示信号がビット５を介し第２特別図柄表示器８０ｃに出力される。
【０１７９】
出力ポート３６０ｂによれば、主制御装置３００からの払い出し指令信号がビット１を介し副制御装置５００の払い出し制御部５００ａに出力される。
【０１８０】
出力ポート３６０ｃによれば、主制御装置３００からの第１或いは第２の特別図柄変動信号、大当たり信号、客待ちコマンド及び新たなコマンドがシステム制御部５００ｂに出力される。
【０１８１】
また、出力ポート３６０ｄによれば、主制御装置３００からのＲＡＭクリア信号、遊技開始信号、入賞信号、大当たり信号、エラー信号及び払い出し指令信号が外部端子盤４００に出力される。なお、図２２は、各出力ポート３６０ａ〜３６０ｄの各ビットと出力データとの対応関係を示す。
【０１８２】
第１被駆動素子群ＤＲＶ１は、図２０にて示すごとく、上述した電チューアクチュエータ４１、大入賞口アクチュエータ７１、普通図柄表示器８０ａ、第１及び第２の特別図柄表示器８０ｂ、８０ｃでもって構成されている。
【０１８３】
外部端子盤４００は、図１９にて示すごとく、主制御装置３００とパチンコホール内に設置してなるホールコンピュータＨＣとの間に接続されており、当該外部端子盤４００は、遊技機本体Ｂにその裏側にて電源回路ＰＳの近傍に配設されている。
【０１８４】
当該外部端子盤４００は、図２３にて示すごとく、半導体スイッチング回路４１０と、外部端子板４２０とにより構成されている。半導体スイッチング回路４１０は、第１〜第１０の半導体スイッチング回路部（図示しない）でもって構成されており、当該第１〜第１０の半導体スイッチング回路部は、それぞれ、その導通（オン）により、対応の入力信号を外部端子板４２０に出力する。また、当該第１〜第１０の半導体スイッチング回路部は、それぞれ、その非導通（オフ）により、対応の入力信号の外部端子板４２０への出力を阻止する。
【０１８５】
外部端子板４２０は、１０個のコネクターＮ１〜Ｎ１０を有しており、当該１０個のコネクターＮ１〜Ｎ１０は、コネクターＮ１からコネクターＮ１０にかけて配列されている。ここで、外部端子板４２０の１０個のコネクターＮ１〜Ｎ１０は、それぞれ、半導体スイッチング回路４１０の第１〜第１０の半導体スイッチング回路部に対応する。
【０１８６】
このように構成される外部端子盤４００においては、主制御装置３００からのクリア信号、遊技開始信号、入賞信号、大当たり信号、エラー信号及び払い出し指令信号が、半導体スイッチング回路４１０の第１、第３、第５、第９及び第１０の半導体スイッチング回路部によりその導通のもと外部端子板４２０に出力される（図２０参照）。これに伴い、外部端子板４２０は、その各コネクターＮ１、Ｎ２、Ｎ３、Ｎ５、Ｎ９及びＮ１０を介し、主制御装置３００からのクリア信号、遊技開始信号、入賞信号、大当たり信号、エラー信号及び払い出し指令信号をホールコンピュータＨＣに出力する。
【０１８７】
副制御装置５００は、図２５にて示すごとく、払い出し制御部５００ａ、システム制御部５００ｂ、画像制御部５００ｃ及びランプ制御部５００ｄでもって構成されており、当該副制御装置５００は、主制御装置３００と第２被駆動素子群ＤＲＶ２及び演出ボタンセンサ１４０ｆとの間に接続されている。
【０１８８】
ここで、第２被駆動素子群ＤＲＶ２は、払い出しモータＭ、演出表示装置８０、両スピーカＳＰ、枠ランＷ、各ステップモータ１８０ａ、２００ａ、電飾体１１３、１９０ｄ及び１９０ｅ並びにモータ２００ｆでもって構成されている。なお、両スピーカＳＰは、前扉Ｄの前枠９０の左右上部内に設けられており、当該両スピーカＳＰは、音による大当たり、リーチ、はずれ等の演出態様を行う。
【０１８９】
払い出し制御部５００ａは、マイクロコンピュータからなるもので、この払い出し制御部５００ａは、所定の払い出し制御プログラムを、所定のフローチャート（図示しない）に従い実行し、この実行中において、主制御装置３００からの払い出しコマンド制御のもとに、払い出しモータＭの駆動制御を行う。これに伴い、払い出しモータＭは、遊技機本体Ｂの球タンク（図示しない）から球払い出し系統（図示しない）内に進入する遊技球を、所定個数ずつ払い出すように作動する。なお、払い出しモータＭは、上記球払い出し系統内に配設されている。
【０１９０】
システム制御部５００ｂは、マイクロコンピュータからなるもので、当該システム制御部５００ｂは、演出制御プログラムを、図３４及び図３５にて示すフローチャートに従い実行する。この実行中において、当該システム制御部５００ｂは、主制御装置３００からのコマンド制御、画像制御部５００ｃからの要求や演出ボタンスイッチ１４０ｆの押動操作出力のもとに、画像制御部５００ｃやランプ制御部５００ｄを制御するように種々の演算処理を行う。
【０１９１】
また、当該システム制御部５００ｂは、その内蔵のソフトタイマーからの副パルス信号の出力ごとに、図３６〜図４０にて示すフローチャートに従い副タイマー割り込み制御プログラムを繰り返し実行する。当該システム制御部５００ｂに内蔵のソフトタイマーは、当該パチンコ遊技機への電源投入（電源スイッチＳＷ１を介する直流電源ＤＣからの給電）に伴うシステム制御部５００ｂの作動開始と同時にリセットされて計時を開始し、この開始後、４（ｍｓ）の経過毎に、副パルス信号を発生しＣＰＵ３１０に出力する。
【０１９２】
画像制御部５００ｃは、マイクロコンピュータからなるもので、この画像制御部５００ｃは、画像表示制御プログラムを、所定のフローチャート（図示しない）に従い実行し、この実行中において、演出処理部５００ｂからのコマンド制御に基づき、演出画像表示装置８０及び両スピーカＳＰを共に或いは選択的に駆動制御するに要する種々の演算処理をする。
【０１９３】
ランプ制御部５００ｄは、マイクロコンピュータからなるもので、このランプ制御部５００ｄは、ランプ制御プログラムを、所定のフローチャート（図示しない）に従い実行し、この実行中において、演出処理部５００ｂからのコマンド制御に基づき、第１ステップモータ１８０ａ、第２ステップモータ２００ａ、枠ランプＷ、電飾体１１３、電飾体１９０ｄ、電飾体１９０ｅ及び振動モータ２００ｆを共に或いは選択的に駆動制御するに要する種々の演算処理をする。
【０１９４】
以上のように構成した本第１実施形態において、ボタン式演出操作装置ＢＧは、前扉Ｄの前枠９０の突出部９０ａの上記凹状切り欠き部内に嵌装されており、当該演出操作装置ＢＧは、筐体１３０と、ボタン機構１４０と、回転機構ＲＭとを備えている。
【０１９５】
ここで、支持部材１４０ｂは、その左右前側ボス１４２及び左右後側ボス１４３にて、その軸方向に変位可能に、左右前側コイルスプリング１４０ｄ及び左右後側コイルスプリング１４０ｅを介しボタンベース１４０ａに支持されている。
【０１９６】
また、回転機構ＲＭは、ボタン機構１４０の透明筒体からなる操作ボタン１４０ｃ内にて、支持部材１４０ｂにより支持されている。ここで、当該回転機構ＲＭの回転体ＲＤは、その回転軸１６１にて、Ｌ字状基体ＢＤのケーシング１５４に回転可能に支持されている。これにより、回転体ＲＤの円周壁１６０ａが、その外周面にて、前方に対向可能に位置するように回転体ＲＤがケーシング１５４により支持されているとき、回転体ＲＤは、その回転軸１６１にて、前扉Ｄの幅方向（左右方向）に向く。また、回転体ＲＤの前側蓋壁１６０ｂが、その前面にて、前方に対向可能に位置するように回転体ＲＤがケーシング１５４により支持されているとき、回転体ＲＤは、その回転軸１６１にて、前扉Ｄの前後幅方向に向く。
【０１９７】
また、反射板１７０ａは、その回転体ＲＤに対向する上面１７１にて、回転体ＲＤを虚像として投影可能な鏡面として形成されている。
【０１９８】
従って、回転体ＲＤが、円周壁１６０ａの外周面及び前側蓋壁１６０ｂのいずれかにて前方に対向するように位置していても、当該回転体ＲＤが、反射板１７０ａの鏡面１７１に投影されることで、遊技者は、回転体ＲＤを実像として視認するとともに鏡面１７１上にて虚像として視認することとなる。ここで、回転体ＲＤの虚像は、実像としての回転体ＲＤに対し、鏡面１７１を基準に対称的な位置にあるように視認され得る。このことは、虚像としての回転体ＲＤは、実像としての回転体ＲＤに対し奥行きのある位置にあるように視認されることを意味する。
【０１９９】
また、回転体ＲＤが、円周壁１６０ａの外周面にて前方に対向するように位置するにあたっては、当該回転体ＲＤは、その回転軸１６１にて、前扉Ｄの幅方向に向くようにＬ字状基体ＢＤにより支持された状態で、第１ステップモータ１８０ａの回転に伴い回転駆動されて、停止した時点で、円周壁１６０ａにより、大当たり、リーチ或いは外れの演出態様を斜め上側前方に向けて示す。このことは、円周壁１６０ａが、回転体ＲＤとしての第１段階の演出態様を示すことを意味する。
【０２００】
また、回転体ＲＤが、前側蓋壁１６０ｂの前面にて前方に対向するように位置するにあたっては、当該回転体ＲＤは、その回転軸１６１にて、前扉Ｄの前後方向に向くようにＬ字状基体ＢＤとともに第２ステップモータ２００ａにより回転駆動された上で、当該回転体ＲＤは、第１ステップモータ１８０ａの回転に伴い回転駆動されて、停止した時点で、前側蓋壁１６０ｂにより、大当たり、リーチ或いは外れの演出態様を斜め上側前方に向けて示す。このことは、前側蓋壁１６０ｂが、回転体ＲＤとしての第２段階の演出態様を示すことを意味する。
【０２０１】
このように回転体ＲＤが第１及び第２の演出態様を示すことで、後述のように、大当たりの抽選結果に対する予告を２段階にて、遊技者に提供することができる。
【０２０２】
従って、遊技者が演出操作装置ＢＧを視認したとき、実像としての回転体ＲＤと鏡面１７１に映る虚像としての回転体ＲＤとの双方でもって、回転体ＲＤの見え方に斬新な面白み等の演出効果を期待することができる。
【０２０３】
また、操作ボタン１４０ｃは、透明筒体で構成されている。従って、演出操作装置ＢＧが前方から遊技者により視認されたき、回転体ＲＤ及び反射板１７０ａがボタン１４０ｃを通して視認可能となっている。このため、遊技者は、ボタン１４０ｃを通して実像としての回転体ＲＤ及び反射板１７０ａの鏡面１７１に映る虚像との双方を視認しながら遊技を行うことができる。
【０２０４】
また、演出ボタンセンサ１４０ｆは、反射板１７０ａの前側部位に対応する支持板１４１の前側部位の下側にて、操作ボタン１４０ｃの下端開口部１４４内の前側領域に配設されている。外乱光がボタン式演出操作装置ＢＧにその前側から斜め下方に向けて入射しても、当該外乱光は、反射板１７０ａによりその鏡面１７１にて反射される。
【０２０５】
ここで、支持板１４１は、その前側部位にて、反射板１７０ａの前側部位の下側に位置するので、当該外乱光は、反射板１７０ａによりその鏡面１７１の前側部位にて反射される。このため、当該外乱光が、支持板１４１の前側部位の下側に位置する演出ボタンセンサ１４０ｆに入射することがない。
【０２０６】
これにより、例えば、演出ボタンセンサ１４０ｆにおいて、板状遮光片１４８ｂがセンサ本体１４７の発光素子１４７ｂと受光素子１４７ｃとの間に進入する際に、演出ボタンセンサ１４０ｆに入射する外乱光が受光素子１５７ｃにより受光されていると、板状遮光片１４８ｂが発光素子１４７ｂから受光素子１４７ｃへの光を遮断しても、演出ボタンセンサ１４０ｆは、受光素子１４７ｂによる外乱光の受光により、板状遮光片１４８ｂによる発光素子１４７ｂから受光素子１４７ｃへの光を遮断しているにもかかわらず、当該光の遮断はなく操作ボタン１４０ｃの下方への変位はないものとするような誤検出を未然に防止し得る。このことは、当該演出ボタンセンサ１４０ｆは、外乱光の入射に起因する誤検出を伴うことなく、常に、操作ボタン１４０ｃの下方への変位を、正常に検出作動を行い得ることを意味する。
【０２０７】
また、演出ボタンセンサ１４０ｆが支持板１４１の前側部位にその下側にて支持されることで、支持板１４１の下側領域のうち演出ボタンセンサ１４０ｆが占める領域以外の領域に、種々の部品、例えば、振動機構ＶＭを配設することができる。
【０２０８】
また、振動機構ＶＭにおいては、可振板２００ｄが、振動モータ２００ｆの回転に伴う偏心体２００ｇの偏心に基づき、振動する。ここで、振動モータ２００ｆが、偏心体２００ｇの偏心方向への回転軸２１５の偏心に基づきモータ本体２１４を偏心させるように振動して、当該振動に伴う上下左側環状スペーサ２２０ｃ及び上下右側環状スペーサ２２０ｄの伸縮作用のもとに可振板２００ｄをその支持壁２００ｅを介し厚さ方向に振動させることを意味する。また、振動モータ２００ｆが、左右方向中心線Ｐよりも後方にて、加振板２００ｄに組み付けられているから、加振板２００ｄは、偏心体２００ｇの偏心方向が加振板２００ｄの厚さ方向にあるとき、左右方向中心線Ｐを基準にシーソー的にも振動し易い。
【０２０９】
しかして、加振板２００ｄの振動が、上述のような振動態様にて、上下左側環状スペーサ２２０ｃ及び上下右側環状スペーサ２２０ｄや左右両側ねじ２３０ａ、２３０ｂを介しボタンベース１４０ａの傾斜状上壁１４６ａ、左右前側コイルスプリング１４０ｄ、左右後側コイルスプリング１４０ｅ、支持部材１４０ｂを介し操作ボタン１４０ｃに伝わって当該操作ボタン１４０ｃを振動させる。このため、遊技者は、その手により操作ボタン１４０ｃに触れたとき、上述のような振動態様に対応した操作ボタン１４０ｃの振動を感知して、リーチや大当たりを期待する等の遊技興趣を期待し得る。
【０２１０】
また、電飾機構ＩＭにおいて、電飾体１９０は、回転体ＲＤ内に収容されており、当該電飾体１９０は、その複数の発光ダイオードの発光による大当たり、リーチ或いは外れを表す発光演出態様でもって、回転体ＲＤを通して光演出を行う。
【０２１１】
ここで、電飾体１９０は、回転体ＲＤの前側蓋壁１６０ｂに対向する発光面を有する電飾盤１９０ｄと、回転体ＲＤの円周壁１６０ａに対向する発光面を有する電飾盤１９０ｅとの双方でもって構成されている。従って、回転体ＲＤの前側蓋壁１６０ｂ及び円周壁１６０ａのいずれを通しても、大当たり、リーチ或いは外れを表す発光演出態様を視認することができる。
【０２１２】
また、上述した大当たりを表す発光演出態様は、期待度の高い演出態様に相当し，外れを表す発光演出態様は、期待度の低い演出態様に相当する。従って、当該期待度の低い演出態様が、その出現率において、期待度の高い演出態様よりも高くなるように、電飾盤１９０ｅの各発光ダイオードの発光を、電飾盤１９０ｄの各発光ダイオードの発光よりも多くすべくランプ制御部５００ｄにより制御する。
【０２１３】
また、当該電飾体１９０の各配線Ｌは、円筒状支持筒１９０ａ及び案内筒１９０ｂを通して外方に延出されている。従って、電飾体１９０が回転体ＲＤ内に収容されていても、当該電飾体１９０に対する給電や制御を外方において行うことができて、便利である。
【０２１４】
次に、パチンコ遊技機が電源スイッチＳＷ１を介する直流電源ＤＣからの給電により遊技可能な作動状態になると、主制御装置３００が、副制御装置５００とともに、作動状態になる。これに伴い、主制御装置３００が、ＣＰＵ３１０により、図２６のフローチャートに従い、主制御プログラムの実行を開始する。
【０２１５】
また、上述のようにパチンコ遊技機が作動状態になると、主制御装置３００のソフトタイマー３２０（第１及び第２のソフトタイマー部）がリセットされる。これに伴い、ソフトタイマー３２０の第１ソフトタイマー部が、計時を開始し、この開始後４（ｍｓ）の経過毎に、第１主パルス信号を発生するとともに、ソフトタイマー３２０の第２ソフトタイマー部が、計時を開始し、この開始後４（ｍｓ）の経過毎に、第２主パルス信号を発生する。なお、現段階では、主制御装置３００による第１及び第２の主タイマー割り込みプログラムの割り込みは、後述のごとく、クリアスイッチＳＷ２がオンされるまで禁止されている。
【０２１６】
上述のように主制御装置３００が図２６のフローチャートに従い主制御プログラムの実行を開始すると、ステップ６００における初期化処理において、主制御装置３００の内部構成素子が初期化される。
【０２１７】
ついで、ステップ６１０においてクリアスイッチのオンか否かが判定される。上述のようにパチンコ遊技機が電源スイッチＳＷ１を介する直流電源ＤＣからの給電により遊技可能な作動状態になった時点で、電源回路ＰＳのクリアスイッチＳＷ２が手動によりオンされると、ステップ６１０における判定がＹＥＳとなる。
【０２１８】
一方、上述のようにパチンコ遊技機が遊技可能な作動状態になった時点でクリアスイッチＳＷ２がオンされなければ、当該ステップ６１０においてＮＯと判定される。これに伴い、ステップ６１１にて割り込み禁止処理がなされる。以後、クリアスイッチＳＷ２がオンされるまで、ステップ６００、ステップ６１０及びステップ６１１を通る循環処理が繰り返される。これにより、クリアスイッチＳＷ２がオンされるまで、第１及び第２のタイマー割り込みプログラムの実行は禁止される。
【０２１９】
このような状態において、クリアスイッチＳＷ２がオンされると、ステップ６１０においてＹＥＳと判定される。これに伴い、ステップ６１２においてＲＡＭクリア処理がなされる。ここでは、上述のように当該パチンコ遊技機が作動可能状態になる直前において主制御装置３００のＲＡＭ３４０に記憶保持済みの記憶データがクリアされる。これにより、上述のように作動可能状態になった当該パチンコ遊技機による遊技が、ＲＡＭ３４０の記憶データをクリアした状態で開始され得る。従って、上述のように作動可能状態になった当該パチンコ遊技機による遊技において、上述のクリア前におけるＲＡＭ３４０の記憶データが利用されるというような不都合は発生しない。
【０２２０】
上述のようにステップ６１２におけるＲＡＭクリア処理がなされると、次のステップ６１３においてＲＡＭクリア信号出力処理がなされる。ここでは、ＲＡＭ３４０の記憶データをクリアしたことを表すＲＡＭクリア信号が、主制御装置３００によりそのＣＰＵ３１０でもって、外部端子盤４００に出力される。
【０２２１】
現段階において、当該外部端子盤４００は、上述のようにパチンコ遊技機が遊技可能状態になった時点において、作動状態になり、半導体スイッチング回路４１０の各半導体スイッチング回路部が共に導通状態におかれる。
【０２２２】
従って、上述のようにＲＡＭクリア信号が主制御装置３００から外部端子盤４００に出力されると、当該ＲＡＭクリア信号は、半導体スイッチング回路４１０の第１０半導体スイッチング回路部により外部端子板４２０のコネクターＮ１０を通しホールコンピュータＨＣに出力される。これにより、当該パチンコ遊技機がその作動可能状態になった時点において主制御装置３００のＲＡＭ３４０の記憶データがクリアされたことが、ホールコンピュータＨＣに対しクリア情報として提供され得る。
【０２２３】
上述のようにステップ６１３の処理がなされると、次のステップ６１４において割り込み許可処理がなされる。これに伴い、以後の第１及び第２の主タイマー割り込みプログラムの実行が許可される。
【０２２４】
然る後、ステップ６２０においてエラーありか否かが判定される。 現段階では、当該パチンコ遊技機による遊技が未だ開始されていないことから、当該パチンコ遊技機において遊技者による磁石による不正行為や当該パチンコ遊技機を叩く不正行為等はなされていない。このため、ステップ６２０においてはＮＯとの判定が繰り返される。
【０２２５】
上述のように、図２６のステップ６１４において割り込み許可処理がなされると、主制御装置３００は、ソフトタイマー３２０の第１ソフトタイマー部からの第１主パルス信号の発生毎に、ＣＰＵ３１０により、図２７のフローチャートに従い上記第１主タイマー割り込みプログラムを繰り返し実行するとともに、ソフトタイマー３２０の第２ソフトタイマー部からの第２主パルス信号の発生毎に、ＣＰＵ３１０により、図２８のフローチャートに従い上記第２主タイマー割り込みプログラムを繰り返し実行する。このことは、当該第１及び第２の主タイマー割り込みプログラムの実行が、主制御装置３００の作動開始後４（ｍｓ）の経過毎に繰り返され、かつ、上記第１及び第２の主タイマー割り込みプログラムの実行のための時間が、４（ｍｓ）の間、維持されることを意味する。
【０２２６】
また、上述のようにパチンコ遊技機が作動状態になると、副制御装置５００が、払い出し制御部５００ａ、システム制御部５００ｂ、画像制御部５００ｃ及びランプ制御部５００ｄにおいて、作動状態になる。
【０２２７】
これに伴い、払い出し制御部５００ａは、上記払い出し制御プログラムの実行を開始し、システム制御部５００ｂは、上記演出制御プログラムの実行を、図３４及び図３５のフローチャートに従い開始し、かつ、上記副タイマー割り込みプログラムの実行を上述の副パルス信号の発生毎に開始し、画像制御部５００ｃが、上記画像表示制御プログラムの実行を開始し、さらに、ランプ制御部５００ｄが、上記ランプ制御プログラムの実行を開始する。これにより、上記パチンコ遊技機は、遊技者による遊技の開始を待つ状態におかれる。
【０２２８】
しかして、主制御装置３００が、そのＣＰＵ３１０により、上述のように、ソフトタイマー３２０の第１ソフトタイマー部からの第１主パルス信号の発生に伴い、上記第１主タイマー割り込みプログラムの実行を開始すると、当該主制御装置３００は、上記第１主タイマー割り込みプログラムを第１始動入賞口処理ルーチン７００以降に進める（図２７図参照）。
【０２２９】
現段階では、遊技球の第１或いは第２の始動入賞口装置３０或いは４０の始動入賞口への遊技球の入賞やスルーゲート５０の遊技球の通過はないことから、上記第１主タイマー割り込みプログラムは、第１始動入賞口処理ルーチン７００、第２始動入賞口処理ルーチン８００、ゲート処理ルーチン９００（図２７及び図３２参照）に進む。なお、この処理過程において、第１始動入賞口処理ルーチン７００では、図２９のステップ７１０にてＮＯと判定され、第２始動入賞口処理ルーチン８００では、図２６のステップ８１０にてＮＯと判定され、ゲート処理ルーチン９００では、図３１のステップ９１０にてＮＯと判定される。
【０２３０】
上述のように第１主タイマー割り込みプログラムが図３２の特別図柄処理ルーチン１１００に進むと、この特別図柄処理ルーチン１１００において、現段階では、未だ遊技者による遊技は開始されておらず、遊技状態が大当たり中、特別図柄変動中のいずれでもない。従って、各ステップ１１１０及び１１２０における判定は順次ＮＯとなる。
【０２３１】
また、現段階では、遊技球の第１始動入賞口装置３０及び第２始動入賞口装置４０の各始動入賞口への入球は未だ発生していないことから、第１及び第２の特別図柄変動保留数Ｕａ、Ｕｂ（後述する）は零のままである。従って、各ステップ１１３０及び１１４０における判定もＮＯとなる。これに伴い、上記第１主タイマー割り込みプログラムは、次の普通図柄処理ルーチン１２００（図２７及び図３３参照）に進む。
【０２３２】
この普通図柄処理ルーチン１２００においては、普通図柄変動中でないことから、ステップ１２１０においてＮＯと判定される。さらに、現段階では遊技球によるスルーゲート５０の通過もないことから、ゲート通過数Ｇ＝０（後述する）であることに基づき、ステップ１２２０における判定もＮＯとなる。これに伴い、現段階では、上述のごとく未だ遊技がなされていないことから、上記第１主タイマー割り込みプログラムは、次の大入賞口処理ルーチン１３００、電チュー処理ルーチン１４００及び出力処理ルーチン１５００（図２７参照）に順次進む。
【０２３３】
また、主制御装置３００が、そのＣＰＵ３１０により、上述のように、ソフトタイマー３２０の第２ソフトタイマー部からの第２主パルス信号の発生に伴い、図２８のフローチャートに従い上記第２主タイマー割り込みプログラムの実行を開始すると、当該主制御装置３００は、当該第２主タイマー割り込みプログラムをステップ１６００以降に進める。
【０２３４】
現段階では、当該パチンコ遊技機による遊技が開始されていないことから、遊技者が磁石の使用による不正行為をしたり、当該パチンコ遊技機を叩くことによる不正行為等をすることはない。このため、図２８の各ステップ１６００及び１６１０において順次ＮＯと判定される。
【０２３５】
また、上述のように副制御装置５００が作動状態におかれると、システム制御部５００ｂが、その作動状態において、演出制御プログラムを図３４及び図３５のフローチャートに従い実行するとともに、副タイマー割り込み制御プログラムを図３６〜図４０のフローチャートに従い副パルス信号の発生に基づき実行する。
【０２３６】
この処理では、上述のごとく、当該パチンコ遊技機による遊技者の遊技が開始されていないことから、主制御装置３００からの出力データがシステム制御部５００ｂに出力されていない。このため、図３４のステップ２０００及び図３６のステップ３０００にてＮＯとの判定がそれぞれなされる。
【０２３７】
以上のような状態において、遊技者が、遊技球の払い出しを受けて上記パチンコ遊技機による遊技を開始すると、当該パチンコ遊技機が遊技作動モードにおかれる。以下、この遊技作動モードを、主制御装置側遊技作動モード及び副制御装置側遊技作動モードに分けて説明する。
１．主制御装置側遊技作動モード
上述のように遊技者が、遊技を開始するにあたり、上記パチンコ遊技機の操作ハンドル１１０を回動操作すれば、遊技球が、順次、上記球発射装置により案内レール２０を通り遊技領域１１内に発射される。なお、このような段階においても、上記第１主タイマー割り込みプログラムは、ソフトタイマー３２０の第１タイマー部からの第１主パルス信号の発生毎に、上述と同様に、繰り返し割り込み実行される。
（１）第１始動入賞口処理
上記第１主タイマー割り込みプログラムが第１始動入賞口処理ルーチン７００（図２７及び図２９参照）に進むと、当該第１始動入賞口処理ルーチン７００の処理は、第1始動入賞口装置５０の第１始動入賞口への遊技球の入賞に基づく大当たりの抽選の機会を形成するために、次のようになされる。
【０２３８】
上述のように遊技領域１１内に順次案内される遊技球の１つが第1始動入賞口装置５０の第１始動入賞口に入賞すると、当該遊技球の入賞が第１始動入賞口センサＳ１により検出される。これに伴い、当該第１始動入賞口センサＳ１は、第１始動入賞口検出信号を発生する。
【０２３９】
このとき、上記タイマー割り込みプログラムが第１始動口処理ルーチン７００のステップ７１０に進んでおれば、このステップ７１０において、第１始動入賞口センサＳ１からの第１始動入賞口検出信号に基づき、遊技球の第１始動入賞口装置４０の始動入賞口への入賞として、ＹＥＳと判定される。然る後、Ｕａ＜４か否かが、ステップ７２０において判定される。なお、Ｕａは、第１始動入賞口装置４０の始動入賞口への遊技球の入賞数（以下、第１入賞数ともいう）を表す。また、ステップ７１０では、第１始動入賞口装置４０の始動入賞口への遊技球の入賞がなければ、ＮＯと判定される。なお、第１入賞数は、第１特別図柄変動保留数に対応する。
【０２４０】
現段階では、Ｕａ＝０であるとすれば、ステップ７２０においてＹＥＳと判定されて、次のステップ７２１において、第１入賞数Ｕａが次の式（１）に基づき算出される。
【０２４１】
Ｕａ＝Ｕａ＋１・・・（１）
ここで、上述のごとく、Ｕａ＝０であることから、第１入賞数Ｕａは、式（１）に基づき、Ｕａ＝１と算出更新される。詳細には、現段階において、特別図柄変動が、第１或いは第２の特別図柄変動中であるいることを前提として、Ｕａ＝１と算出更新される。
【０２４２】
ついで、次のステップ７２２において、ステップ７２１にて更新済みの第１入賞数を表す第１入賞データが出力データとしてセットされる。なお、当該セットとは、ＲＡＭ３４０による第１入賞データの記憶をいう。
【０２４３】
然る後、上述のように遊技領域１１内に案内される遊技球が、さらに、第１始動入賞口装置３０の始動入賞口に順次入賞すると、これら各遊技球の入賞が、順次、第１始動入賞口センサＳ１により検出される。これに伴い、当該第１始動入賞口センサＳ１が、順次、第１始動入賞口検出信号を発生する。
【０２４４】
従って、その後、上記第１主タイマー割り込みプログラムが第１始動口処理ルーチン７００に進む毎に、ステップ７１０においてＹＥＳと判定され、ステップ７２０においてＹＥＳと判定され、ステップ７２１において、式（１）に基づき第１入賞数Ｕａの加算更新処理がなされ、ステップ５２２において、ステップ７２１における各新たな更新データが各出力データとして順次セットされる。このような状態において、ステップ７２１における最新の第１入賞数Ｕａに基づき、Ｕａ≧４が成立すると、その後、ステップ７２０において、ＮＯと判定される。
【０２４５】
上述のような第１始動入賞口処理ルーチン７００の終了に伴い、上記タイマー割り込みプログラムは、第２始動入賞口処理ルーチン８００（図２７及び図３０参照）に進む。この第２始動入賞口処理ルーチン８００の処理は、第２始動入賞口装置４０の第２始動入賞口への遊技球の入賞に基づく大当たりの抽選の機会を形成するために、次のようになされる。
【０２４６】
上述のように遊技領域１１内に順次案内される遊技球が第２始動入賞口装置４０の第２始動入賞口に入賞すると、当該遊技球の入賞が第２始動入賞口センサＳ２により検出される。これに伴い、第２始動入賞口センサＳ２が、第２始動入賞口検出信号を発生する。
【０２４７】
このとき、上記第１主タイマー割り込みプログラムが第２始動入賞口処理ルーチン８００のステップ８１０に進んでおれば、このステップ８１０において、第２始動入賞口センサＳ２からの第２始動入賞口検出信号に基づき、遊技球の第２始動入賞口装置４０の始動入賞口への入賞として、ＹＥＳと判定される。
【０２４８】
然る後、Ｕｂ＜４か否かが、ステップ８２０において判定される。なお、Ｕｂは、第２始動入賞口装置４０の始動入賞口への遊技球の入賞に伴い第２入賞数を表す。また、ステップ８１０では、第２始動入賞口装置４０の始動入賞口への遊技球の入賞がなければ、ＮＯと判定される。なお、上述した第２入賞数は、第２特別図柄変動保留数に対応する。
【０２４９】
現段階では、Ｕｂ＝０であるとすれば、ステップ８２０においてＹＥＳと判定されて、次のステップ８２１において、第２入賞数Ｕｂが次の式（２）に基づき算出される。
【０２５０】
Ｕｂ＝Ｕｂ＋１・・・（２）
ここで、上述のごとく、Ｕｂ＝０であることから、第２入賞数Ｕｂは、式（２）に基づき、Ｕｂ＝１と算出更新される。なお、詳細には、現段階において、第１或いは第２の特別図柄変動中であることを前提として、Ｕｂ＝１と算出更新される。
【０２５１】
ついで、ステップ８２２において、第２入賞データの出力データとしてのセット処理がなされる。これに伴い、ステップ８２１における第２入賞数Ｕｂを表す第２入賞データが出力データとしてセットされる。
【０２５２】
然る後、上述のように遊技領域１１内に順次案内される遊技球が、さらに、第２始動入賞口装置４０の始動入賞口に順次入賞すると、これら各遊技球の入賞が、順次、第２始動入賞口センサＳ２により検出される。これに伴い、第２始動入賞口センサＳ２が、順次、第２始動入賞口検出信号を発生する。
【０２５３】
従って、その後、上記第１主タイマー割り込みプログラムが第２始動入賞口処理ルーチン８００に進む毎に、ステップ８１０においてＹＥＳと判定され、ステップ８２０においてＹＥＳと判定され、ステップ８２１において、式（２）に基づき第２入賞数Ｕｂの加算更新処理がなされ、ステップ８２２において、ステップ８２１における各更新データが、出力データとして順次セットされる。このような状態において、ステップ８２１における最新の第２入賞数Ｕｂに基づき、Ｕｂ≧４が成立すると、その後のステップ８２０において、ＮＯと判定される。
【０２５４】
上述のような第２始動入賞口処理ルーチン８００の終了に伴い、上記第１主タイマー割り込みプログラムは、ゲート処理ルーチン９００（図２７及び図３１参照）に進む。このゲート処理ルーチン９００の処理は、普通図柄の抽選の機会を形成するために、次のようになされる。
【０２５５】
当該ゲート処理ルーチン９００では、ステップ９１０においてスルーゲートの通過か否かが判定される。現段階において、上述のごとく案内された遊技球がスルーゲート５０を通過すると、当該通過遊技球がゲートセンサＳ３により検出される。これにより、当該ゲートセンサＳ３が、ゲート通過検出信号を発生する。従って、ステップ９１０において、ゲートセンサＳ３からのゲート通過検出信号に基づき、ＹＥＳと判定される。
【０２５６】
ついで、ステップ９２０において、Ｇ＜４か否かが判定される。ここで、Ｇ＜４において、Ｇは、遊技球のスルーゲート５０に対する通過数（ゲート通過数）を表す。現段階において、Ｇ＝０であれば、ステップ９２０においてＹＥＳと判定される。これに伴い、次のステップ９２１において、次の式（３）に基づきＧ＝１と加算更新される。なお、上述したゲート通過数Ｇは、普通図柄変動保留数に対応する。
【０２５７】
Ｇ＝Ｇ＋１・・・・（３）
このとき、現段階において、普通図柄変動中であることを前提に、Ｇ＝１と加算更新される。なお、普通図柄変動の保留が、ゲート通過数Ｇに基づきなされることから、ゲート通過数Ｇは、普通図柄変動保留数に対応する。
【０２５８】
ステップ９２１における処理後、ステップ９２２において、第２入賞データの出力データとしてのセット処理がなされる。ここでは、ステップ９２１における更新データが出力データとしてセットされる。
【０２５９】
然る後、上述のように遊技領域１１内に順次案内される遊技球が、さらに、スルーゲート５０を順次通過すると、これら通過遊技球が、順次、ゲートセンサＳ３により検出される。これに伴い、当該ゲートセンサＳ３が、順次、ゲート通過検出信号を発生する。
【０２６０】
従って、その後、上記第１主タイマー割り込みプログラムがゲート処理ルーチン９００に進む毎に、ゲートセンサＳ３から順次生ずるゲート通過検出信号に基づき、ステップ９１０においてＹＥＳと判定され、ステップ９２０にてＹＥＳと判定され、ステップ９２１において式（３）に基づきゲート通過数Ｇの加算更新がなされ、ステップ９２２において、ステップ９２１における各更新データが各出力データとして順次セットされる。このような状態において、ステップ９２１における最新のゲート通過数Ｇに基づき、Ｇ≧４が成立すると、その後のステップ９２０において、ＮＯと判定される。
（４）賞球処理
然る後、上記第タイマー割り込みプログラムが次の賞球処理ルーチン１０００（図２７参照）に進むと、この賞球処理ルーチン１４０の始動入賞口への入賞数に応じた賞球コマンド或いは遊技球のスルーゲート５０に対するゲート通過数に応じたコマンドが設定される。
（５）特別図柄処理
ついで、上記第１主タイマー割り込みプログラムが特別図柄処理ルーチン１１００（図２７及び図３２参照）に進むと、ステップ１１１０（図３２参照）において、大当たり遊技中か否かが判定される。現段階において、現遊技状態が大当たり当選後の大入賞口開放遊技状態にあれば、大当たり遊技中であることから、ステップ１１１０においてＹＥＳと判定される。このため、特別図柄処理ルーチン１１００は、新たな特別図柄変動の表示を開始することなく、エンドステップに進む。
【０２６１】
一方、現段階において、ステップ１１１０の判定がＮＯとなる場合には、次のステップ１１２０において特別図柄変動中か否かが判定される。現段階において、ステップ１１８０における変動開始処理がなされていなければ、特別図柄変動中でないことから、ステップ１１２０における判定はＮＯとなり、ステップ１１３０において、Ｕａ≧１か否かが判定される。
【０２６２】
ここで、第１始動入賞口処理ルーチン７００のステップ７２１（図２９参照）における最新の第１入賞数Ｕａが、Ｕａ＝０であれば、ステップ１１３０にてＮＯと判定される。一方、上述した最新の第１入賞数ＵａがＵａ＝０でなければ、ステップ１１３０においてＹＥＳと判定される。
【０２６３】
ついで、ステップ１１３１において、第１入賞数Ｕａが、次の式（４）に基づき、減算更新される。
【０２６４】
Ｕａ＝Ｕａ−１・・・・（４）
然る後、次のステップ１１４０において、Ｕb≧１か否かが判定される。現段階において、Ｕb＝０であれば、ステップ１１４０における判定はＮＯとなる。即ち、現段階では、遊技球が、現在の特別図柄変動中において、第２始動入賞口装置４０の始動入賞口に入賞していないことから、特別図柄処理ルーチン１１００は、エンドステップに進む。
【０２６５】
また、上述のように特別図柄処理ルーチン１１００がステップ１１４０に進んだとき、最新の第２入賞数Ｕｂ（図３０のステップ８２１参照）が、Ｕｂ≧１であれば、当該ステップ１１４０においてＹＥＳと判定される。これに伴い、次のステップ１１４１において、第２入賞数Ｕｂが、次の式（５）に基づき、減算更新される。
【０２６６】
Ｕｂ＝Ｕｂ−１・・・・（５）
上述のようにステップ１１４１の処理がなされると、特別図柄処理ルーチン１１００は、大当たり判定処理サブルーチン１１５０（図３２参照）に進む。ここでは、第１或いは第２の始動入賞口装置３０或いは４０の始動入賞口への遊技球の入賞に伴う大当たり抽選の結果が、大当たりか否かが判定される。
【０２６７】
すると、次の変動パターン選択処理サブルーチン１１６０において、大当たり用、リーチ用或いははずれ用の変動パターンが、少なくとも１つ選択されてセットされる。
【０２６８】
ここで、リーチ用変動パターンは、次の５種類のリーチ用変動パターンでもって構成されている。
【０２６９】
Ａ．ノーマルリーチを表す変動パターン
Ｂ．ロングリーチを表す変動パターン
Ｃ．第１スペッシャルリーチを表す変動パターン
Ｄ．第２スペッシャルリーチを表す変動パターン
Ｅ．第３スペッシャルリーチを表す変動パターン
従って、リーチ用変動パターンの選択は、上述の５種類の変動パターンＡ〜Ｅから選択される。なお、当該５種類の変動パターンＡ〜Ｅは、主制御装置３００のＲＯＭ３３０に予め読み出し可能に記憶されている。
【０２７０】
また、次の回転パターン選択処理サブルーチン１１６０ａにおいては、回転パターンの選択処理がなされる。ここで、当該回転パターンは、回転体ＲＤの回転態様を表すもので、当該回転パターンは、少なくとも１つ、次の２種類の第１及び第２の回転パターンから選択される。なお、当該２種類の変動パターンＦ、Ｇは、主制御装置３００のＲＯＭ３３０に予め読み出し可能に記憶されている。
【０２７１】
Ｆ．回転体ＲＤの第１の回転態様を表す第１回転パターン
Ｇ．回転体ＲＤの第２の回転態様を表す第２回転パターン
このようにして回転パターン選択処理サブルーチン１１６０ａの処理が終了すると、次のステップ１１７０（図３２参照）において、特別図柄変動開始コマンドセット処理がなされる。これに伴い、ステップ１１６０で選択済みの変動パターンに対する特別変動開始コマンドがセットされる。
【０２７２】
ついで、ステップ１１８０における変動開始処理において、主制御装置３００が、ＣＰＵ３１０により、ステップ１１６０で選択済みの変動パターンでもって特別図柄変動を表示するように第１特別図柄表示器８０ｂ或いは第２特別図柄表示器８０ｃを駆動する。このため、第１特別図柄表示器８０ｂ或いは第２特別図柄表示器８０ｃは、当該変動パターンによる特別図柄変動の表示を行う。
【０２７３】
なお、第１始動入賞口装置３０の始動入賞口への遊技球の入賞を前提とする場合には、第１特別図柄表示器８０ｂが特別図柄変動の表示を行い、第２始動入賞口装置４０の始動入賞口への遊技球の入賞を前提とする場合には、第２特別図柄表示器８０ｃが特別図柄変動の表示を行う。
【０２７４】
ステップ１１８０の処理後、ステップ１１８０ａにおける変動時間計時開始処理において、上記変動パターンの変動時間の計時が開始される。ここで、この変動時間の計時は、主制御装置３００に内蔵の他のソフトタイマーにより行われる。
【０２７５】
然る後、特別図柄処理ルーチン１１００が再びステップ１１２０に進んだとき、ＹＥＳと判定されると、次のステップ１１９０において、変動時間の終了か否かが判定される。現段階において、ステップ１１８０ａで変動時間計時開始された変動時間が未だ所定の変動時間に達していなければ、ステップ１１９０における判定はＮＯとなる。
【０２７６】
このような状態において、特別図柄処理ルーチン１１００が、その後、少なくとも一回、ステップ１１９０に進んだとき、ステップ１１８０ａで変動時間計時開始された変動時間が上記所定の変動時間に達していれば、当該ステップ１１９０において、ＹＥＳと判定される。すると、ステップ１１９０ａにおける図柄変動停止コマンドセット処理において、図柄変動停止コマンドが、ステップ１１８０において開始された変動パターンの変動を停止させるようにセットされる。ついで、ステップ１１９０ｂにおける変動停止処理において、主制御装置３００が、ＣＰＵ３１０により、上述した第１特別図柄表示器８０ｂ或いは第２特別図柄表示器８０ｃによる特別図柄変動の表示を停止させる。
【０２７７】
ステップ１１９０ｂの処理後、ステップ１１９０ｃにおける変動時間のリセット処理において、上記所定の変動時間がリセットされて、特別図柄処理ルーチン１１００は、停止中処理サブルーチン１１９０ｄに進む。この停止中処理サブルーチン１１９０ｄでは、当たり或いは大当たりかの判定を行い、時短、確変その他の処理がなされる。
（６）普通図柄処理
上述のようにして特別図柄処理ルーチン１１００の処理が終了すると、上記第１主タイマー割り込みプログラムは、普通図柄処理ルーチン１２００（図２７及び図３３参照）に進む。すると、ステップ１２１０（図３３参照）において、普通図柄変動中か否かが判定される。現段階の遊技状態が、普通図柄変動中でなければ、ステップ１２１０におけるＮＯとの判定後、ステップ１２２０において、Ｇ≧１か否かにつき判定される。ここで、ゲート処理ルーチン９００（図３１参照）のステップ９２１における最新のゲート通過数ＧがＧ＝０であれば、ステップ１２２０における判定はＮＯとなる。これに伴い、普通図柄の抽選開始のための入賞がないということから、普通図柄処理ルーチン１２００は、エンドステップに進む。なお、ゲート通過数Ｇは、普通図柄変動保留数に対応する。
【０２７８】
一方、ステップ１２２０において、Ｇ≧１が成立すれば、ＹＥＳと判定された後、ステップ１２２１において、次の式（６）に基づき、ゲート通過数Ｇが「１」だけ減算更新される。
【０２７９】
Ｇ＝Ｇ−１・・・・（６）
ついで、ステップ１２３０において当たりか否かにつき判定される。即ち、現段階において、遊技球のスルーゲート５０の通過に伴う普通図柄の当たり抽選結果が当たりであれば、ステップ１２３０における判定はＹＥＳとなり、次のステップ１２３１における当たり図柄セット処理において、当たり図柄がセットされる。また、ステップ１２３０における判定がＮＯとなる場合には、ステップ１２３２におけるハズレ図柄セット処理において、ハズレ図柄がセットされる。
【０２８０】
ステップ１２３１或いは１２３２における処理後、ステップ１２４０において、確変又は時短の遊技状態か否かにつき判定される。現段階の遊技状態が、確変及び時短のうちのいずれかの遊技状態であれば、ステップ１２４０においてＹＥＳと判定された後、ステップ１２４１において、変動時間が３（秒）にセットされる。一方、ステップ１２４０における判定がＮＯとなるときには、現段階の遊技状態が通常遊技状態或いは潜伏確変遊技状態であることから、ステップ１２４２において、変動時間が２９（秒）とセットされる。
【０２８１】
このようにして、ステップ１２４１或いはステップ１２４２の処理がなされた後は、ステップ１２５０における変動開始処理において、普通図柄表示器８０ａにより、ステップ１２３１にてセット済みの当たり図柄或いはステップ１２３２にてセット済みのハズレ図柄の変動の表示が開始される。これに伴い、ステップ１２６０における変動時間計時開始処理において、主制御装置３００に内蔵の他のソフトタイマーがリセットされて計時を開始する。
【０２８２】
また、ステップ１２５０の処理に伴い、ステップ１２５０ａにおいて、普通図柄変動開始コマンドがセットされる。
【０２８３】
然る後、普通図柄処理ルーチン１２００が再びステップ１２１０に進むと、ステップ１２５０において既に変動開始済みであることから、当該ステップ１２１０においてＹＥＳと判定される。すると、ステップ１２７０において変動時間終了か否かが判定される。ここで、ステップ１２６０において計時開始済みの上記ソフトタイマーの計時時間が、上記変動時間（ステップ１２４１或いはステップ１２４２におけるセット時間）に達していなければ、ステップ１２７０における判定はＮＯとなる。
【０２８４】
このような状態において、普通図柄処理ルーチン１２００が、その後、少なくとも１回以上、ステップ１２７０に進んだとき、ステップ１２６０において計時開始済みの上記ソフトタイマーの計時時間が上記所定の変動時間に達していれば、ステップ１２７０においてＹＥＳと判定される。これに伴い、ステップ１２７１における変動停止処理において、ステップ１２５０において開始した当たり図柄変動或いはハズレ図柄の変動の表示が普通図柄表示器８０ａにおいて停止される。なお、ステップ１２７２において、上記変動時間（ステップ１２４１或いはステップ１２４２におけるセット時間）のリセットがなされる。
（７）大入賞口処理
以上のようにして普通図柄処理ルーチン１２００の処理が終了すると、上記第１主タイマー割り込みプログラムは、大入賞口ルーチン１３００（図２７参照）に進む。当該大入賞口処理ルーチン１３００においては、１５ラウンドの１回目のラウンドから１５回目のラウンドにかけて、大入賞口開放処理が繰り返しなされる。これに伴い、大入賞口装置７０が、その大入賞口を、大当たり開放パターンに基づき繰り返し開放する。これにより、上述のように遊技領域１１内に順次案内される遊技球が、大入賞口装置７０の大入賞口に繰り返し入賞し易くなり、その結果、遊技者は、多くの賞球の獲得を期待できる。
（８）電チュー処理
以上のようにして大入賞口処理ルーチン１３００の処理が終了すると、上記第１主タイマー割り込みプログラムは、次の電チュー処理ルーチン１４００（図２７参照）に進む。当該電チュー処理ルーチン１４００においては、現段階の遊技状態が確変或いは時短の遊技状態であれば、第２始動入賞口装置４０の始動入賞口の開放時間が３．５（秒）にセットされ、一方、現段階の遊技状態が、確変或いは時短の遊技状態ではなく、通常遊技状態或いは潜伏確変遊技状態であれば、第２始動入賞口装置４０の始動入賞口の開放時間が０．２（秒）にセットされる。
【０２８５】
これに伴い、第２始動入賞口装置４０が、主制御装置３００のＣＰＵ３１０による制御のもとに、３．５（秒）或いは０．２（秒）の間、電チューアクチュエータ４１により駆動される。このため、第２始動入賞口装置４０が、その始動入賞口を開放する。これにより、遊技者は、第２始動入賞口装置４０の始動入賞口への遊技球の入賞の増加を期待し得る。
（９）出力処理
上述のように電チュー処理ルーチン１４００の処理が終了すると、上記第１主タイマー割り込みプログラムは、出力処理ルーチン１５００（図２７参照）に進む。この出力処理ルーチン１５００においては、第１始動入賞口ルーチン７００〜電チュー処理ルーチン１４００の各処理においてなされた第１及び第２の始動入賞口センサＳ１、Ｓ２の各検出出力、普通入賞口センサＳ４の検出出力その他の種々の処理データが、出力データとして副制御装置５００の払い出し制御部４００ａ及びシステム制御部５００ｂに対し出力される。
２．副制御装置側遊技作動モード
以上のような主制御装置側遊技作動モードの処理にあわせて、副制御装置５００においては、払い出し制御部４００ａが払い出し遊技作動モードにおかれるとともに、システム制御部５００ｂが、画像制御部５００ｃ及びランプ制御部５００ｄとともに、演出遊技作動モードにおかれる。
【０２８６】
以上のような遊技過程において、遊技者が、当該パチンコ遊技機の前扉Ｄのうち第１始動入賞口装置３０の上側近傍に対する対応部位に磁石を当てて、遊技盤１０の盤面に沿い第１始動入賞口装置３０の上側近傍へ転動する遊技球を、当該磁石の磁力により、当該第１始動入賞口装置３０の始動入賞口内に入賞するように誘導するように磁石を操作するという不正行為を行うと、磁石センサＳ１０が当該磁石の磁力を検出して磁石検出信号を発生し主制御装置３００に出力する。
【０２８７】
このため、第２主タイマー割り込み制御プログラムが図２８のステップ１６００に進んだとき、当該ステップ１６００において、磁石センサＳ１からの磁石検出信号に基づき、磁石の使用であるとして、ＹＥＳと判定される。
【０２８８】
また、磁石による不正行為がないことで、ステップ１６００においてＮＯと判定されると、次のステップ１６１０において、振動発生か否かが判定される。
【０２８９】
ここで、遊技者が遊技盤１１の盤面における遊技球の転動を変えるために当該パチンコ遊技機の遊技機本体Ｂや前扉Ｄを叩くことで、当該パチンコ遊技機において振動が発生すると、当該振動が、振動センサＳ１１により検出されて、振動検出信号として主制御装置３００に出力される。
【０２９０】
このため、ステップ１６１０において、振動センサＳ１１からの振動検出信号に基づき、振動発生として、ＹＥＳと判定される。
【０２９１】
すると、ステップ１６３０におけるエラー判定出力処理がなされる。このエラー判定出力処理においては、ステップ１６００におけるＹＥＳとの判定結果或いはステップ１６１０におけるＹＥＳとの判定結果に基づき、磁石使用による不正行為或いは振動発生による不正行為が、エラーとして判定される。
【０２９２】
一方、主制御プログラムが、上述のようにステップ６２０にてＮＯとの判定を繰り返している間において、ステップ１６２０において上述のようにエラー判定処理がされると、当該エラー判定処理に基づき、主制御プログラムのステップ６２０において、エラーありとして、ＹＥＳと判定される。
【０２９３】
これに伴い、次のステップ６２１において、エラー信号出力処理がされる。当該エラー信号出力処理においては、ステップ１６２０におけるエラー判定処理の結果、即ち、磁石による不正行為或いは振動発生による不正行為がエラーを表すエラー信号として、主制御装置３００のＣＰＵ３１０により、出力ポート３６０ｄを介し外部端子盤４００に出力される。
【０２９４】
すると、当該エラー信号は、半導体スイッチング回路４１０の第１０半導体スイッチング回路部により外部端子板４２０のコネクターＮ１０を通しホールコンピュータＨＣに出力される。これにより、当該パチンコ遊技機において不正行為があることが、ホールコンピュータＨＣに対しエラー情報として提供され得る。
【０２９５】
ここで、エラー信号が、上述したＲＡＭクリア信号と同様に、外部端子板４２０のコネクターＮ１０を通しホールコンピュータＨＣに出力される。従って、外部端子板４２０において、エラー信号をホールコンピュータＨＣに出力するコネクターを、ＲＡＭクリア信号をホールコンピュータＨＣに出力するコネクターＮ１０に対し、別途、設ける必要がなく、外部端子板４２０において、ＲＡＭクリア信号をホールコンピュータＨＣに出力するコネクターを、エラー信号をホールコンピュータＨＣに出力するコネクターとして兼用することで、外部端子板４２０において余分なコネクターを設ける必要がなく、当該外部端子板４２０の構成をより一層簡単にすることができる。
２．副制御装置側遊技作動モード
上述のような主制御装置側遊技作動に対応して、副制御装置側遊技作動がなされる。以下、払い出し処理、演出制御処理及び副タイマー割り込み処理に分けて説明する。
（１）払い出し処理
上述のように副制御装置５００の払い出し制御部５００ａが上記払い出し制御プログラムの実行を開始した後において、各種出力データが上述のごとく主制御装置３００から出力処理ルーチン１５００にて副制御装置５００に出力されると、当該各種出力データが払い出しデータ（大入賞口センサＳ５の検出出力等）を含んでおれば、払い出し制御部５００ａが、当該払い出しデータを入力されて遊技球の払い出し処理を行い、払い出し出力を払い出しモータＭに出力する。このため、上記払い出し機構が、払い出しモータＭの駆動のもとに、所定の払い出し条件に応じて、遊技球を払い出す。
（２）演出制御処理
上述のように副制御装置５００のシステム制御部５００ｂが、図３４及び図３５のフローチャートに従い上記演出制御プログラムの実行を開始すると、ステップ２０００（図３４参照）において、出力データの有無が判定される。
【０２９６】
現段階において、当該出力データがシステム制御部５００ｂに出力されていれば、ステップ２０００においてＹＥＳと判定される。なお、出力データのシステム制御部５００ｂへの出力がなければ、ステップ２０００においてＮＯと判定され、演出制御プログラムはリターンステップ（図３４参照）に進む。
【０２９７】
上述のようにステップ２０００においてＹＥＳと判定されると、次のステップ２１００において、特別図柄変動の開始か否かが判定される。ここで、図３２のステップ１１７０において特別図柄変動開始コマンドがセットされていれば、当該特別図柄変動開始コマンドは、出力処理ルーチン１５００において主制御装置３００からシステム制御部５００ｂに出力されている。このため、ステップ２１００において、当該特別図柄変動開始コマンドに基づきＹＥＳと判定される。換言すれば、主制御装置３００において特別図柄変動が開始されている（図３２のステップ１１８０参照）。
【０２９８】
このような特別図柄変動の開始に対応して、ステップ２１１０において装飾図柄変動処理がなされる。当該装飾図柄変動処理においては、例えば、図４１に示すような装飾図柄変動がなされる。当該装飾図柄の変動開始がなされると、演出表示装置８０は、左図柄、中図柄及び右図柄の変動を時間の経過に伴い表示する。
【０２９９】
例えば、演出表示装置８０による変動表示中において、上記変動開始後、左図柄（例えば、「２」）が、図４１にて示すごとく、停止した後、右図柄（例えば、「２」）が停止すると、この右図柄の停止段階では、リーチが成立する。当該リーチが、例えば、ノルマルリーチであれば、当該ノルマルリーチ用変動パターンが、図２８の変動パターン選択処理サブルーチン１１６０で選択されていることを前提に、演出表示装置８０は、当該ノルマルリーチ用変動パターンに基づきノルマルリーチを表す演出態様で演出表示を行う。これにより、遊技者は、大当たりの可能性を認識し得る。
【０３００】
また、右図柄が上述のように停止した後、図４１にて示すごとく、第１スペッシャルリーチが到来すれば、当該第１スペッシャルリーチ用変動パターンが、図２８の変動パターン選択処理サブルーチン１１６０で選択されていることを前提に、演出表示装置８０は、当該第１スペッシャルリーチ用変動パターンに基づき第１スペッシャルリーチを表す特別の演出態様で演出表示を行う。これにより、遊技者は、大当たりの可能性をより一層強く認識し得る。
【０３０１】
然る後、図４１にて示すごとく、中図柄が停止する。ここで、停止した中図柄が、例えば、「２」であれば、左図側、中図柄及び右図柄が、共に、数字「２」であることから、当該特別図柄変動の原因である大当たり抽選の結果は、大当たりである。
【０３０２】
また、停止した中図柄が、例えば、「３」であれば、左図柄及び右図柄とは異なることから、当該特別図柄変動の原因である大当たり抽選の結果は、外れである。
【０３０３】
然る後、特別図柄変動が終了すると、ステップ２１２０においてＹＥＳと判定され、これに伴い、ステップ２１２０における装飾図柄変動終了処理において、装飾図柄変動が終了する（図４１参照）。
【０３０４】
すると、次のステップ２１２２において、チャンス到来による操作ボタン押動指令処理がなされる。これに伴い、操作ボタン１４０ｃの押動か否かが判定される。ここで、操作ボタン１４０ｃが押動されていなければ、ステップ２１２３において、ＮＯと判定されて、ステップ２１２４において所定時間経過か否かが判定される。なお、当該所定時間は、遊技者による操作ボタン１４０ｃの押動に要する時間をいう。
【０３０５】
当該所定時間が経過していないために、ステップ２１２４にてＮＯと判定されると、ステップ２１２３における判定が再びなされる。ここで、遊技者が操作ボタン１４０ｃを押動していれば、支持部材１４０ｂが操作ボタン１４０ｃとともに、左右前側コイルスプリング１４０ｄ及び左右後側コイルスプリング１４０ｅに抗して下方へ変位する。
【０３０６】
現段階では、演出ボタンセンサ１４０ｆにおいてセンサ本体１４７の受光素子１４７ｃが発光素子１４７ｂからの光を受光している状態にある。従って、上述のように支持部材１４０ｂが下方へ変位すると、演出ボタンセンサ１４０ｆの遮光体１４８が下方へ変位して、板状遮光片１４８ｂにて、発光素子１４７ｂと受光素子１４７ｃとの間に進入して、発光素子１４７ｂからの光の受光素子１４７ｃによる受光を遮断する。これにより、演出ボタンセンサ１４０ｆは、操作ボタン１４０ｃの押動を表す検出信号を発生してシステム制御部５００ｂに出力する。
【０３０７】
これに伴い、ステップ２１２３において、操作ボタン１４０ｃの押動ありとして、ＹＥＳと判定される。一方、上記所定時間が、ステップ２１２３にてＹＥＳとの判定になる前に経過すると、ステップ２１２４においてＹＥＳと判定される。
【０３０８】
上述のように、ステップ２１２３における判定がＹＥＳになると、次のステップ２１２５において振動モータ駆動処理がなされる。これに伴い、振動モータ２００ｆがランプ制御部５００ｄによる制御のもとに、偏心体２００ｇと共に回転する。
【０３０９】
このとき、偏心体２００ｇが、振動モータ２００ｆの回転に伴い偏心しながら回転することで、振動モータ２００ｆが、そのモータ本体２１４にて、偏心体２００ｇの偏心方向に振動して、当該振動を可振板２００ｄに伝達する。
【０３１０】
ここで、加振板２００ｄが、上述したごとく、左右両側ねじ２３０ａ、２３０ｂでもって、左右両側カバー２２０ａ、２２０ｂ、上下左側環状スペーサ２２０ｃ及び上下右側環状スペーサ２２０ｄを介しボタンベース１４０ａの傾斜状上壁１４６ａに組み付けられている。しかも、上下左側環状スペーサ２２０ｃ及び上下右側環状スペーサ２２０ｄは、上述のように、所定の厚さにて所定の弾力を有するゴム材料でもって形成されている。
【０３１１】
このため、加振板２００ｄは、振動モータ２００ｆの振動に伴う上下左側環状スペーサ２２０ｃ及び上下右側環状スペーサ２２０ｄの伸縮に応じて、上下方向（加振板２００ｄの厚さ方向）に振動する。
【０３１２】
また、振動モータ２００ｆは、そのモータ本体２１４にて、左右方向中心線Ｐよりも後方において、加振板２００ｄに組み付けられている。このため、加振板２００ｄは、偏心体２００ｇの偏心方向が加振板２００ｄの厚さ方向に近づくごとに、左右方向中心線Ｐ、換言すれば、上下左側環状スペーサ２２０ｃ及び上下右側環状スペーサ２２０ｄを基準にシーソー的にも振動することとなる。
【０３１３】
これに伴い、加振板２００ｄが、その厚さ方向への振動やシーソー的振動を支持部材１４０ｂを介し操作ボタン１４０ｃに伝達する。従って、当該操作ボタン１４０ｃは、可振板２２０ｄの振動態様に応じて振動することとなる。
【０３１４】
これにより、遊技者がその手により操作ボタン１４０ｃに接触していれば、遊技者は、その手を介し操作ボタン１４０ｃの振動を感知し得る。その結果、遊技者は、チャンス到来と相まって、操作ボタン１４０ｃの振動に基き、リーチや大当たりの到来を期待し得る。
【０３１５】
ステップ２１２５の処理後或いはステップ２１２４におけるＹＥＳとの判定後、ステップ２１３０（図３４参照）において、大当たりか否かが判定される。ここで、上述のごとく中図柄の停止のもとに大当たりが成立していれば、ステップ２１３０においてＹＥＳと判定される。すると、ステップ２１３０ａにおける大当たり設定処理において、大当たりの成立と設定される。
【０３１６】
これに伴い、ステップ２１３１において大当たり遊技表示演出処理がなされる。ここでは、演出表示装置８０が、大当たりを表す表示演出態様にて演出表示する。
【０３１７】
ついで、次のステップ２１３２において、大当たり光演出処理がなされる。これに伴い、枠ランプＷが、大当たりを表す光演出態様にて光演出を行う。
【０３１８】
さらに、ステップ２１３３において、大当たり音演出処理がなされる。これに伴い、両スピーカＳＰが、大当たりを表す音演出態様でもって音演出を行う。
【０３１９】
以上のように、演出表示装置８０による大当たり表示演出、枠ランプＷによる大当たり光演出及び両スピーカＳＰによる大当たり音演出がなされることで、遊技者は、上述したノルマルリーチ及び第１スペッシャルリーチによる予告通り、大当たりになったことを強く実感することができる。
【０３２０】
一方、上述のように停止中図柄が、停止左図柄や停止右図柄と異なるために外れが成立していれば、上述したステップ２１３０において、ＮＯと判定される。これに伴い、次のステップ２１４０（図３５参照）における外れ設定処理において、外れの成立と設定される。
【０３２１】
すると、ステップ２１４１における外れ遊技表示演出処理において、演出表示装置８０が、外れを表す表示演出態様にて演出表示を行う。これにより、遊技者は、上述したノルマルリーチ及び第１スペッシャルリーチによる予告にもかかわらず、結果としては、外れになったことを認識することとなる。
【０３２２】
しかして、ステップ２１４１における外れ遊技表示演出処理が終了すると、次のステップ２１５０において客待ちコマンドありか否かが判定される。ここで、客待ちコマンドが、主制御装置３００からシステム制御部５００ｂに出力されていなければ、当該ステップ２１５０においてＮＯと判定される。
【０３２３】
一方、客待ちコマンドが、主制御装置３００からシステム制御部５００ｂに出力されていれば、当該ステップ２１５０における判定はＹＥＳとなる。すると、次のステップ２１６０において所定の客待ち時間の経過か否かが判定される。ここで、当該所定の客待ち時間は、ステップ２１４１における外れ遊技表示演出処理の終了後の所定の時間をいう。
【０３２４】
現段階では、上記所定の客待ち時間は未だ経過していないことから、当該ステップ２１６０における判定はＮＯとなる。
【０３２５】
両ステップ２１５０、２１６０の循環処理中において、客待ちコマンドが主制御装置３００からシステム制御部５００ｂに出力されれば、ステップ２１５０における判定はＹＥＳとなる。
【０３２６】
しかして、上記所定の客待ち時間の経過に基づきステップ２１６０においてＹＥＳと判定されると、次のステップ２１６１における客待ちコマンドセット処理において、客待ちコマンドがセットされる。これに伴い、ステップ２１６２において客待ちモード表示演出処理がなされる。これに伴い、演出表示装置８０が、大当たり表示演出態様に類似する表示演出態様でもって、表示演出する。これにより、当該パチンコ遊技機における直前までの遊技において、遊技球を多く獲得した状態にあったかのような印象が、新たな客に対し与えられる。
【０３２７】
ついで、ステップ２１７０において、客待ちモード表示演出終了か否かが判定される。原段階において、客待ちモード表示演出が終了していなければ、ステップ２１７０における判定はＮＯとなる。
【０３２８】
以後、両ステップ２１６２、２１７０を循環する処理中において、客待ちモード表示演出が終了すると、ステップ２１７０においてＹＥＳと判定される。このことは、当該パチンコ遊技機における客待ちが終了したことを意味する。
【０３２９】
上述のようにステップ２１７０における判定がＹＥＳになると、次のステップ２１８０において、遊技開始か否かにつき判定される。現段階において、当該パチンコ遊技機において新たな客が操作ハンドル１１０の回動操作をすると、上記球発射装置が、遊技球を案内レール２０を介し遊技盤１０の遊技領域１１に向けて発射する。
【０３３０】
当該遊技球の発射が、上記球発射装置に設けた発射センサ（図示しない）により検出されると、当該検出結果が、遊技開始を表す遊技開始信号としての役割を果たし、ステップ２１８０においてＹＥＳと判定される。
【０３３１】
一方、上述のような発射センサによる検出がなくステップ２１８０においてＮＯと判定される場合には、所定の客待ち時間の経過後客待ちモード表示演出終了にもかかわらず、新たな客がなく遊技開始にならないことから、次のステップ２１８１において、客待ちモード光演出処理がなされる。
【０３３３】
この客待ちモード光演出処理においては、枠ランプＷ及び操作ハンドル１１０の電飾体１１３の複数の発光ダイオードが、システム制御部５００ｂによる制御のもとランプ制御部５００ｄにより制御されて、大当たりが成立したときに当該大当たりを光により表す光演出態様に類似する客寄せ光演出態様でもって、光演出を行う。このため、新たな客が当該パチンコ遊技機の前扉Ｄを見たとき、当該新たな客は、枠ランプＷ及び操作ハンドル１１０の電飾体１１３が、上述した客寄せ光演出態様でもって、光演出を行っていることを視認することとなる。
【０３３４】
これにより、当該新たな客が、当該パチンコ遊技機が既に大当たりの成立により多くの遊技球を獲得されているかのように錯覚を起こすことで、当該新たな客を当該パチンコ遊技機による遊技に誘導することができる。
（３）副タイマー割り込み処理
上述のごとく、副制御装置５００のシステム制御部５００ｂが、そのソフトタイマーからの副パルス信号の発生に伴い、図３６〜図４０のフローチャートに従い、副タイマー割り込み制御プログラムの実行を開始すると、図３６のステップ３０００において、出力データありか否かが判定される。現段階において、当該出力データがシステム制御部５００ｂに出力されていれば、ステップ３０００においてＹＥＳと判定される。なお、出力データのシステム制御部５００ｂへの出力がなければ、ステップ３０００においてＮＯと判定され、演出制御プログラムはエンドステップ（図４０参照）に進む。
【０３３５】
上述のようにステップ３０００における判定がＹＥＳになると、次のステップ３１００において、特別図柄変動に対応する装飾図柄変動か否かが判定される。ここで、ステップ２１１０（図３４参照）の装飾図柄変動処理において装飾図柄変動が開始（図３７参照）されていれば、ステップ３１００においてＹＥＳと判定される。
【０３３６】
これに伴い、次のステップ３１１０において、第１ステップモータは初期回転位置か否かが判定される。現段階において、第１初期回転位置センサＳ６が第１初期回転位置検出信号を発生していなければ、第１ステップモータ１８０ａが初期回転位置にないことから、ステップ３１１０においてＮＯと判定される。
【０３３７】
すると、ステップ３１１１におけるエラー信号出力処理において、主制御装置３００が、第１ステップモータ１８０ａが初期回転位置にないことをエラーコマンドとしてシステム制御部５００ｂに出力する。これに伴い、演出表示装置８０が、システム制御部５００ｂによる制御のもと、画像制御部５００ｃにより制御されて、第１ステップモータ１８０ａが初期回転位置にないことをエラーとして表示する。
【０３３８】
これにより、第１ステップモータ１８０ａが初期回転位置にないことが視認され得る。
【０３３９】
ステップ３１１１の処理後、次のステップ３１１２において第１ステップモータの初期回転位置への復帰処理がなされる。これに伴い、第１ステップモータ１８０ａは、システム制御部５００ｂからの復帰制御コマンドに基づきランプ制御部５００ｄにより制御されて初期回転位置（図５或いは図８参照）に向けて正転する。
【０３４０】
然る後、第１初期回転位置センサＳ６が第１ステップモータ１８０ａの初期回転位置を検出し第１初期回転位置検出信号を発生し主制御装置３００に出力すると、ステップ３１１０においてＹＥＳと判定される。
【０３４１】
ステップ３１１０におけるＹＥＳとの判定に伴い、ステップ３１２０において第２ステップモータは初期回転位置か否かが判定される。現段階において、第２初期回転位置センサＳ８が第２初期回転位置検出信号を発生していなければ、第２ステップモータ２００ａが初期回転位置にないことから、ステップ３１２０においてＮＯと判定される。
【０３４２】
すると、次のステップ３１２０ａにおけるエラー信号出力処理において、主制御装置３００が、第２ステップモータ２００ａが初期回転位置にないことをエラーコマンドとしてシステム制御部５００ｂに出力する。これに伴い、演出表示装置８０が、システム制御部５００ｂによる制御のもと、画像制御部５００ｃにより制御されて、第２ステップモータ２００ａが初期回転位置にないことをエラーとして表示する。
【０３４３】
これにより、第２ステップモータ２００ａが初期回転位置にないことが視認され得る。
【０３４４】
ステップ３１２０ａの処理後、次のステップ３１２１において第２ステップモータの初期回転位置への復帰処理がなされる。これに伴い、第２ステップモータ２００ａは、システム制御部５００ｂからの復帰制御コマンドに基づきランプ制御部５００ｄにより制御されて初期回転位置（図５或いは図８参照）に向けて正転する。
【０３４５】
然る後、第２初期回転位置センサＳ８が第２ステップモータ２００ａの初期回転位置を検出し第２初期回転位置検出信号を発生し主制御装置３００に出力すると、ステップ３１２０においてＹＥＳと判定される。
【０３４６】
このように判定されると、次のステップ３１２２における第１及び第２のステップモータが共に初期回転位置にあるとの決定処理において、第１ステップモータ１８０ａ及び第２ステップモータ２００ａが共に初期回転位置にあると決定される。
【０３４７】
このような決定に伴い、Ｌ字状基体ＢＤ及び回転体ＲＤは、筐体１３０及びボタン１４０に対し図５或いは図８にて示す回転位置にある。
【０３４８】
ステップ３１２２の処理後、ステップ３１３０において左図柄停止か否かが判定される。現段階において、ステップ２１１０（図３４参照）の装飾図柄変動処理における装飾図柄変動の開始後、演出表示装置８０は、上述のごとく、左図柄、中図柄及び右図柄の変動を時間の経過に伴い表示する。
【０３４９】
このような状態において、左図柄の停止（図４１参照）が成立すれば、演出表示装置８０は、左図柄の停止を表示する。これに伴い、次のステップ３１３１における第１ステップモータ低速正転処理において、第１ステップモータ１８０ａが、システム制御部５００ｂからの低速正転コマンドに基づきランプ制御部５００ｄにより制御されて、正転し始めて低速正転を維持する（図４１参照）。これにより、回転体ＲＤが低速回転する。
【０３５０】
然る後、ステップ３１４０において右図柄停止前か否かが判定される。現段階において、ステップ２１１０（図３４参照）の装飾図柄変動処理における装飾図柄変動における左図柄停止後、右図柄停止（図４１参照）が成立する前であれば、ステップ３４１０における判定はＹＥＳとなる。これに伴い、ステップ３１４１における第１ステップモータ停止処理において、第１ステップモータ１８０ａが、システム制御部５００ｂからの停止コマンドに基づき、ランプ制御部５００ｄにより制御されて停止する。これにより、回転体ＲＤが停止する。
【０３５１】
このような回転体ＲＤの停止状態において、当該回転体ＲＤの第１演出壁１６０ａの各演出態様のうち、例えば、リーチの演出態様◎が、前側斜め上方に位置すれば、遊技者は、リーチの予告を認識して、大当たりの成立を期待する。
【０３５２】
ステップ３１４１の処理後、ステップ３１４１ａにおいて電飾演出処理がなされる。ここでは、電飾体１９０の電飾盤１９０ｅが、その複数の発光ダイオードにて、システム制御部５００ｂによる制御のもと、ランプ制御５００ｄにより駆動制御されて、演出発光態様にて第１演出壁１６０ａを通して発光演出を行う。これにより、遊技者は、上述した回転体ＲＤの第１演出壁１６０ａの表示演出態様及び電飾盤１９０ｅによる発光演出態様でもって、上述のように大当たりの成立を期待し得る。
【０３５３】
ステップ３１４１ａの処理後、ステップ３１５０（図３７参照）において右図柄停止か否かが判定される。現段階において、ステップ２１１０（図３４参照）の装飾図柄変動処理における装飾図柄変動における右図柄停止（図４１参照）が成立すれば、ステップ３１５０においてＹＥＳと判定される。装飾図柄変動処理においては、右図柄停止でもって、ノルマルリーチが成立するので、演出表示装置８０は、上述のごとく、右図柄停止の表示とともに、ノルマルリーチ用演出パターンでもって、演出表示する。このため、遊技者は、上述の予告通り、大当たり成立を期待する。
【０３５４】
ステップ３１５０におけるＹＥＳとの判定に伴い、ステップ３１５１において、第１ステップモータ中速正転処理がなされる。ここでは、回転体ＲＤが、システム制御部５００ｂからの中速正転コマンドに基づきランプ制御部５００ｄにより制御されて、正転し始めて中速正転を維持する（図４１参照）。
【０３５５】
然る後、図３８のステップ３１６０において、例えば、第１スペッシャルリーチ前か否かが判定される。現段階において、ステップ２１１０（図３４参照）の装飾図柄変動処理における装飾図柄変動における右図柄停止後、第１スペッシャルリーチ（図４１参照）が成立する前であれば、当該ステップ３１６０における判定がＹＥＳとなる。
【０３５６】
これに伴い、ステップ３１６１における第１ステップモータ停止処理において、回転体ＲＤが、システム制御部５００ｂからの停止コマンドに基づきランプ制御部５００ｄにより制御されて、ステップモータ１８０ａの停止に伴い停止する（図４１参照）。このような回転体ＲＤの停止状態において、当該回転体ＲＤの第１演出壁１６０ａの各演出態様のうち、例えば、大当たりの演出態様Ｖが、前側斜め上方に位置すれば、遊技者は、大当たりの予告を認識する。
【０３５７】
ステップ３１６１の処理後、次のステップ３１６１ａにおいて電飾演出処理がなされる。ここでは、電飾体１９０の電飾盤１９０ｅが、その複数の発光ダイオードにて、システム制御部５００ｂによる制御のもと、ランプ制御５００ｄにより駆動制御されて、演出発光態様にて第１演出壁１６０ａを通して発光演出を行う。これにより、遊技者は、上述した回転体ＲＤの第１演出壁１６０ａの表示演出態様及び電飾盤１９０ｅによる発光演出態様でもって、上述のように大当たりの成立を期待し得る。
【０３５８】
ステップ３１６０ａの処理後、ステップ３１７０において、第１スペッシャルリーチか否かが判定される。現段階において、ステップ２１１０（図３４参照）の装飾図柄変動処理における装飾図柄変動において第１スペッシャルリーチ（図４１参照）が成立すれば、ステップ３１７０における判定はＹＥＳとなる。装飾図柄変動処理においては、上述したごとく、第１スペッシャルリーチの成立でもって、演出表示装置８０が、スペッシャルリーチ用演出パターンでもって演出表示する。これにより、遊技者は、上述の予告通り、大当たり成立を強く期待する。
【０３５９】
上述のようにステップ３１７０においてＹＥＳと判定されると、次のステップ３１７１において、第２ステップモータ正転処理がなされる。これに伴い、Ｌ字状基体ＢＤが、回転体ＲＤと共に、システム制御部５００ｂからの正転コマンドに基づきランプ制御部５００ｄにより制御されて正転する。
【０３６０】
ステップ３１７１の処理に伴い、ステップ３１８０において直角回転位置か否かが判定される。現段階では、ステップ３１７１における処理直後であるため、Ｌ字状基体ＢＤは、直角回転位置（初期回転位置から９０度回転した位置）には達していない。このため、ステップ３１８０において、ＮＯと判定される。
【０３６１】
しかして、両ステップ３１７１、３１８０の循環処理中において、第２直角回転位置センサＳ９が、Ｌ字状基体ＢＤが直角回転位置に達したことを検出し第２直角回転位置検出信号を主制御装置３００に出力すれば、システム制御部５０ｂが、主制御装置３００からの第２直角回転位置検出信号に基づき、ステップ３１８０においてＹＥＳと判定する。これに伴い、ステップ３１８１における第２ステップモータ停止処理において、Ｌ字状基体ＢＤが、回転体ＲＤと共に、システム制御部５００ｂからの停止コマンドに基づきランプ制御部５００ｄにより制御されて、第２ステップモータ２００ａの停止に伴い停止する。
【０３６２】
このようにＬ字状基体ＢＤが、回転体ＲＤと共に、初期回転位置から直角回転位置に達すると、ステップ３１８２において第１ステップモータ高速回転処理がなされる。これに伴い、第１ステップモータ１８０ａが、システム制御部５００ｂからの高速正転コマンドに基づきランプ制御部５００ｄにより制御されて高速正転する。このため、回転体ＲＤが回転し始め高速正転を維持する。
【０３６３】
このような高速正転のもとに、次のステップ３１９０において、中図柄停止前か否かが判定される。現段階において、ステップ２１１０（図３４参照）の装飾図柄変動処理における装飾図柄変動における中図柄停止（図４１参照）が成立する前であれば、ステップ３１９０における判定はＹＥＳとなる。これに伴い、次のステップ３１９１において第１ステップモータ停止処理がなされる。このため、第１ステップモータ１８０ａがシステム制御部５００ｂからの停止コマンドに基づきランプ制御部５００ｄにより制御されて停止する。これにより、回転体ＲＤが停止する。
【０３６４】
このような回転体ＲＤの停止状態において、当該回転体ＲＤの第２演出壁１６０ｂの各演出態様のうち、例えば、大当たりの演出態様◎が、前側斜め上方に位置（針１７０ｂの先端部参照）すれば、遊技者は、大当たりの予告を認識して、大当たりの成立を強く期待する。
【０３６５】
ステップ３１９１の処理後、次のステップ３１９１ａにおいて電飾演出処理がなされる。ここでは、電飾体１９０の電飾盤１９０ｄが、その複数の発光ダイオードにて、システム制御部５００ｂによる制御のもと、ランプ制御５００ｄにより駆動制御されて、演出発光態様にて第２演出壁１６０ｂを通して発光演出を行う。これにより、遊技者は、上述した回転体ＲＤの第２演出壁１６０ｂの表示演出態様及び電飾盤１９０ｄによる発光演出態様でもって、上述のように大当たりの成立を期待し得る。
【０３６６】
ステップ３１９１ａの処理後、ステップ３２００において、中図柄停止か否かが判定される。現段階において、ステップ２１１０（図３４参照）の装飾図柄変動処理における装飾図柄変動における中図柄停止（図４１参照）が成立すれば、当該ステップ３２００における判定はＹＥＳとなる。
【０３６７】
ついで、ステップ３２１０において、装飾図柄変動停止か否かが判定される。現段階において、ステップ２１１０（図３４参照）の装飾図柄変動処理における装飾図柄変動が図４１にて示すごとく終了すれば、当該ステップ３２１０においてＹＥＳと判定される。ここで、装飾図柄変動停止は対応の特別図柄変動停止を前提とすることから、当該特別図柄変動停止でもって、大当たり抽選の結果が明らかになる。従って、大当たりであれば、遊技者は上記予告通りであると認識する。また、外れであれば、遊技者は上記予告に反して期待を裏切られることになる。
【０３６８】
ステップ３２１０におけるＹＥＳとの判定後、ステップ３２１１における所定の客待ち時間計時処理において、所定の客待ち時間の計時が開始される。ここで、当該所定の客待ち時間は、大当たり抽選の結果の判明後当該パチンコ遊技機による遊技が終了した場合において、新たな客を待つ時間を表す。
【０３６９】
ステップ３２１１において所定の客待ち時間の計時を開始した持ち、ステップ３２２０（図４０参照）において、所定の客待ち時間経過か否かが判定される。現段階において、上記所定の客待ち時間が経過していなければ、ステップ３２２０においてＮＯと判定される。
【０３７０】
両ステップ３２１１、３２２０の循環処理中において、所定の客待ち時間が経過すると、ステップ３２２０においてＹＥＳと判定される。これに伴い、ステップ３２４０において客待ちモード演出終了か否かが判定される。現段階において、図３５のステップ２１７０において客待ちモード表示演出終了でもってＹＥＳと判定されていれば、ステップ３２４０における判定はＹＥＳとなる。
【０３７１】
一方、図３５のステップ２１７０における判定がＮＯであれば、ステップ３２３０において、新たなコマンドありか否かが判定される。新たなコマンドが主制御装置３００からシステム制御部５００ｂに出力されていれば、当該ステップ３２３０における判定はＹＥＳとなる。このため、次のステップ３２３１における新たなコマンドセット処理において、当該新たなコマンドがセットされる。
【０３７２】
上述のようにステップ３２４０にてＹＥＳとの判定或いはステップ３２３１にて新たなコマンドセット処理がなされると、ステップ３２５０において第１ステップモータの初期回転位置への復帰処理がなされる。これに伴い、第１ステップモータ１８０ａが、システム制御部５００ｂからの復帰コマンドに基づきランプ制御部５００ｄにより制御されて、初期回転位置に復帰する。
【０３７３】
また、ステップ２３５０の処理後、ステップ３２６０において、第２ステップモータの初期回転位置への復帰処理がなされる。これに伴い、第２ステップモータ１８０ａが、システム制御部５００ｂからの復帰コマンドに基づきランプ制御部５００ｄにより制御されて、初期回転位置に復帰する。
【０３７４】
第１及び第２のステップモータ１８０ａ、１８０ｂの各初期回転位置への復帰により、Ｌ字状基体ＢＤ及び回転体ＲＤが図５或いは図８にて示す状態に復帰する。
（第２実施形態）
図４２は、本発明の第２実施形態の要部を示している。当該第２実施形態においては、上記第１実施形態にて述べた演出ボタンセンサ１４０ｆは、上記第１実施形態とは異なり、図４２にて示すごとく、支持板１４１の前後方向中央部（前側板部１４１ａの後側部位）の下側に配設されている。
【０３７５】
本第２実施形態では、遮光体１４８が支持板１４１の前側板部１４１ａの後側部位から下方へ延出するように設けられており、センサ本体１４７が、ボタンベース１４０ａの傾斜状上壁１４６ａのうち前側板部１４１ａの後側部位に対する対向部位にて、支持部材１４０ｇの支持壁部１４９の左右方向中央部位から前方へ延出するように設けられている。
【０３７６】
なお、本第２実施形態では、支持部材１４０ｇは、支持壁部１４９にて、ボタンベース１４０ａの傾斜状上壁１４６ａのうち遮光体１４８に対する対向部位に形成してなる凹所の底壁部（図４２参照）上に各ステイ（上記第１実施形態にて述べた各ステイ１４９ａに相当）により支持されている。これにより、演出ボタンセンサ１４０ｆが、前側板部１４１ａの後側部位の下側にて、上記第１実施形態と同様にその検出機能を果たすように、支持部材１４０ｇにより支持されている。その他の構成は上記第１実施形態と同様である。
【０３７７】
このように構成した本第２実施形態によれば、演出ボタンセンサ１４０ｆが、支持板１４１の前後方向中央部前側板部１４１ａの後側部位）の下側に配設されているので、外乱光がボタン式演出操作装置ＢＧにその前側から斜め下方に向けて入射しても、当該外乱光は、反射板１７０ａによりその鏡面１７１にて反射される。このため、当該外乱光が、支持板１４１の前後方向中央部の下側に位置する演出ボタンセンサ１４０ｆに入射することがない。
【０３７８】
その結果、振動機構ＶＭの支持板１４１の後側部位の下側への配設を確保し得るのは勿論のこと、当該演出ボタンセンサ１４０ｆは、外乱光の入射に起因する誤検出を伴うことなく、常に、正常に検出作動を行うことができる。その他の作用効果は上記第１実施形態と同様である。
（第３実施形態）
図４３は、本発明の第３実施形態の要部を示している。当該第３実施形態においては、上記第１実施形態にて述べた演出ボタンセンサ１４０ｆは、上記第１実施形態とは異なり、図４３にて示すごとく、支持板１４１の後側板部１４１ｂの後側部位の左右方向中央部の下側に配設されている。
【０３７９】
ここで、本第３実施形態にいう演出ボタンセンサ１４０ｆにおいて、センサ本体１４７は、その下壁１４７ａにて、ボタンベース１４０ａの傾斜状上壁１４６ａの後側部位に形成した縦断面Ｕ字状凹所１４６ｆ内にて支持部材１４０ｇにより支持されており、当該センサ本体１４７は、発光素子１４０ｂ及び受光素子１４７ｃにて、下壁１４７ａから上方へ延出されている。なお、縦断面Ｕ字状凹所１４６ｆは、傾斜状上壁１４６ａの後側部位に下方に向けて縦断面Ｕ字状に形成されている。また、本第３実施形態において、支持部材１４０ｇは、縦断面Ｕ字状凹所１４６ｆ内にてその底壁部に支持されている。
【０３８０】
また、本第３実施形態において、遮光体１４８は、板状遮光片１４８ｂにて、発光素子１４７ｂと受光素子１４７ｃとの間に向けて延出するように、上壁１４８ａにて、後側板部１４１ｂの後側部位から下方に向け延出されている。なお、上述のように演出ボタンセンサ１４０ｆが支持板１４１の後側板部１４１ｂの後側部位に配設されるので、振動機構ＶＭは、ボタンベース１４０ａ内において、演出ボタンセンサ１４０ｆよりも前側、左側或いは右側に配設すればよい。その他の構成は、上記第１実施形態と同様である。
【０３８１】
このように構成した本第３実施形態によれば、演出ボタンセンサ１４０ｆが、支持板１４１の後側板部１４１ｂの後側部位に配設されているので、外乱光がボタン式演出操作装置ＢＧにその前側から斜め下方に向けて入射しても、当該外乱光は、反射板１７０ａによりその鏡面１７１にて反射される。
【０３８２】
このため、当該外乱光が、支持板１４１の後側板部１４１ｂの後側部位の下側に位置する演出ボタンセンサ１４０ｆに入射することがない。その結果、当該演出ボタンセンサ１４０ｆは、外乱光の入射に起因する誤検出を伴うことなく、常に、正常に検出作動を行うことができる。その他の作用効果は上記第１実施形態と同様である。
（第４実施形態）
図４４は、本発明の第４実施形態の要部を示している。当該第４実施形態においては、上記第１実施形態にて述べた可振板２００ｄの左中側貫通状長穴部２１２は、当該可振板２００ｄの左前側貫通穴部２１０及び左後側貫通穴部２１１の各中心を結ぶ前後方向線上において所定距離だけ左前側貫通穴部２１０側へずれた位置にて、加振板２００ｄに形成されている。
【０３８３】
ここで、上述のように所定距離だけ左前側貫通穴部２１０側へずれた位置にある左中側貫通状長穴部２１２の中心と右中側貫通状長穴部２１２の中心とを結ぶ左右方向傾斜状中心線Ｐ１（図４４参照）は、上記第１実施形態にて述べた左右方向中心線Ｐに対し、右中側貫通状長穴部２１２の中心にて交差するように、傾斜状に位置する。
【０３８４】
これに伴い、縦断面コ字状左側カバー２２０ａ及び上下左側環状スペーサ２２０ｃは、上述のように位置ずれしてなる左中側貫通状長穴部２１２を介して、上記第１実施形態と同様に、左側ねじ２３０ａでもって、ボタンベース１４０ａの傾斜状上壁１４６ａに組み付けられている。その他の構成は、上記第１実施形態と同様である。
【０３８５】
このように構成した本第４実施形態によれば、縦断面コ字状左側カバー２２０ａ及び上下左側環状スペーサ２２０ｃが、縦断面コ字状右側カバー２２０ａ及び上下右側環状スペーサ２２０ｃとともに、左右両側ねじ２３０ａ、２３０ｂを介し、上記第１実施形態にて述べた左右方向中心線Ｐではなく、左右方向傾斜状中心線Ｐ１上にて、上記第１実施形態と同様に加振板２００ｄを支持するように当該加振板２００ｄ及び傾斜状上壁１４０ａに組み付けられている。
【０３８６】
このため、加振板２００ｄは、当該可振板にて上述のように切り起こした支持壁２００ｅを介し、振動モータ２００ｆの振動を受けて、当該振動に応じた左右方向傾斜状中心線Ｐ１上に位置する上下左側環状スペーサ２２０ｃ及び上下右側環状スペーサ２２０ｄの伸縮作動のもとに振動し、当該振動を、上下左側環状スペーサ２２０ｃ及び上下右側環状スペーサ２２０ｄからボタンベース１４０ａの傾斜状上壁１４６ａ、各両前後両側コイルスプリング１４０ｄ、１４０ｅ及び支持部材１４０ｂの支持板１４１を介し操作ボタン１４０ｃに伝える。
【０３８７】
ここで、可振板２００ｄは、左右方向傾斜状中心線Ｐ１上に位置する上下左側環状スペーサ２２０ｃ及び上下右側環状スペーサ２２０ｄを基準に振動モータ２００ｆの振動に応じて、厚さ方向への振動やシーソー的振動をし、これに伴い、操作ボタン１４０ｃが、加振板２００ｄの振動態様に応じて振動する。
【０３８８】
これにより、遊技者がその手により操作ボタン１４０ｃに接触していれば、遊技者は、その手を介し、加振板２００ｄの上述した振動態様に対応した操作ボタン１４０ｃの振動を感知し得る。その結果、遊技者は、チャンス到来と相まって、操作ボタン１４０ｃの上述した振動に基き、リーチや大当たりの到来を期待し得る。
（第５実施形態）
図４５は、本発明の第５実施形態の要部を示している。当該第５実施形態においては、加振板２００ｄが、上記第１実施形態にて述べた左側カバー２２０ａ及び上下左側環状スペーサ２２０ｃ並びに右側カバー２２０ａ及び上下右側環状スペーサ２２０ｃに加えて、縦断面コ字状前側カバー２２０ｅ及び上下前側環状スペーサ２２０ｆでもって、ボタンベース１４０ａの傾斜状上壁１４６ａに組み付けられている。
【０３８９】
本第５実施形態において、前側貫通状長穴部２１２は、加振板２００ｄの左右中側貫通状長穴部２１２の各中心を結ぶ線を底辺とする二等辺三角形の頂点に位置するように、加振板２００ｄに形成されている。本第５実施形態では、上記二等辺三角形の頂角をなす点を、頂点といい、底角をなす点を底点という。なお、前側貫通状長穴部２１２は、左右中側貫通状長穴部２１２の各々と同様の形状にて加振板２００ｄに形成されている。
【０３９０】
前側カバー２２０ｅは、左右両側カバー２２０ａ、２２０ｂの各々と同様の構成にて形成されており、また、上下前側環状スペーサ２２０ｆは、上下左右両側環状スペーサ２２０ｃ、２２０ｄの各々と同様の構成にて形成されている。
【０３９１】
上下前側環状スペーサ２２０ｆは、可振板２００ｄの前側貫通状長穴部２１２を挟持するように、当該前側貫通状長穴部２１２にその両面側から重畳的に配設されている。
【０３９２】
前側カバー２２０ｅは、その環状壁部２２２から、上下前側環状スペーサ２２０ｆのうちの下前側環状スペーサ２２０ｆにその下方からかぶせられている。これに伴い、前側カバー２２０ｅは、その円板状壁部２２１にて、下前側環状スペーサ２２０ｅに下方から当接する。
【０３９３】
このように上下前側環状スペーサ２２０ｆが可振板２００ｄに配設された状態において、前側ねじ２３０ｃが、前側カバー２２０ｅの円板状壁部２２１に形成してなる中央孔部、下前側環状スペーサ２２０ｆの中空部、可振板２００ｄの前側貫通状長穴部２１２及び上前側環状スペーサ２２０ｆの中空部に挿通されてボタンベース１４０ａの傾斜状上壁１４６ａに締着される。
【０３９４】
これにより、可振板２００ｄが、上記二等辺三角形の両底点及び頂点に位置する左右中側貫通状長穴部２１２及び前側貫通状長穴部２１２の各中心を基準に振動可能となるようにボタンベース１４０ａの傾斜状上壁１４６ａに組み付けられる。なお、前側ねじ２３０ｃの傾斜状上壁１４６ａに対する締着は、上記第１実施形態にて述べた左右両側ねじ２３０ａ、２３０ｂの傾斜状上壁１４６ａに対する締着と同様に、各環状スペーサ２２０ｆが、可振板２００ｄを振動可能にする程度の弾力性及び締着厚さを維持し得る程度の締着とする。その他の構成は、上記第１実施形態と同様である。
【０３９５】
このように構成した本第５実施形態において、上記第１実施形態と同様に振動モータ２００ｆが、そのモータ本体２１４にて、偏心体２００ｇの偏心に伴い振動すると、当該振動は、モータ本体２１４を介し可振板２００ｄに伝わる。これに伴い、可振板２００ｄは、振動モータ２００ｆの振動に伴い振動する。
【０３９６】
ここで、本第５実施形態では、左側カバー２２０ａ及び上下左側環状スペーサ２２０ｃが、上記二等辺三角形の両底点の一方の底点に位置し、右側カバー２２０ａ及び上下右側環状スペーサ２２０ｃが上記二等辺三角形の他方の底点に位置するとともに、前側カバー２２０ｅ及び上下前側環状スペーサ２２０ｆが上記二等辺三角形の頂点に位置するように、可振板２００ｄに組み付けられている。また、振動モータ２２０ｆが、そのモータ本体２１４にて、上記第１実施形態にて述べたように、前後方向中心線Ｑ上にて、左右方向中心線Ｐの後方に位置するように、可振板２００ｄに配設されている。
【０３９７】
このため、可振板２００ｄは、上記二等辺三角形の頂点及び両底点に対応する各部位（前側貫通状長穴部２１２及び左右中側貫通状長穴部２１２の各中心に対する対応部位）にて、前側カバー２２０ｅ、上下前側環状スペーサ２２０ｆ及び前側ねじ２３０ｃの組み合わせ、左側カバー２２０ａ、上下左側環状スペーサ２２０ｃ及び左側ねじ２３０ａの組み合わせ、及び右側カバー２２０ｂ及び上下右側環状スペーサ２２０ｄ及び右側ねじ２３０ｂの組み合わせでもって、各スペーサ２２０ｆ、２２０ｃ及び２２０ｄの弾力のもとに、保持された状態で、上下方向（可振板２００ｄの厚さ方向）に振動する。このとき、可振板２００ｄのうち上述のように保持されていない部位、つまり、図４５にて上記二等辺三角形の底辺よりも後側部位は、振動機構ＶＭの重量とも相まって、可振板２００ｄのうち上記二等辺三角形の底辺の前側部位よりも、上下方向に大きく振動する。
【０３９８】
すると、操作ボタン１４０ｃは、上述のような可振板２００ｄの振動態様に応じて振動する。これにより、遊技者がその手により操作ボタン１４０ｃに接触していれば、遊技者は、その手を介し操作ボタン１４０ｃの振動を感知し得る。その結果、遊技者は、チャンス到来と相まって、操作ボタン１４０ｃの振動に基き、リーチや大当たりの到来を期待し得る。その他の構成は、上記第１実施形態と同様である。
【０３９９】
なお、本発明の実施にあたり、上記実施形態に限ることなく、次のような種々の変形例が挙げられる。
（１）本発明の実施にあたり、回転体ＲＤの回転軸は、上記第１実施形態とは異なり、後蓋壁１６０ｃから延出する回転軸１６１に加えて、前蓋壁１６０ｂから前方へ回転軸１６１と同軸的に延出する回転軸を設け、当該回転軸を前蓋壁１６０ｂの中央部に回転自在に支持するようにしてもよい。
（２）本発明の実施にあたり、回転体ＲＤは、上記第１実施形態とは異なり、遊技機本体Ｂ或いは前扉Ｄに設けられていてもよい。
（３）本発明の実施にあたり、操作ボタン１４０ｃは、上記第１実施形態とは異なり、前方から遊技者により視認される部位を少なくとも透明にして、当該部位を通して回転体ＲＤ及び反射板１７０ａの鏡面１７１を視認し得るように形成してもよい。
（４）本発明の実施にあたり、演出操作装置ＢＧは、上記第１実施形態とは異なり、球受け皿１２０に設けるようにしてもよい。
（５）また、本発明の実施にあたり、主制御装置３００から外部端子盤４００を介しホールコンピュータＨＣに出力されるエラー情報は、上記第１実施形態にて述べた磁石や振動に基づくものに限ることなく、例えば、球貸し、満タン、球切れや遊技情報における異常等を、エラー情報として、上記実施形態にて述べたクリア信号と同様に、外部端子盤４００のコネクターＮ１０を介しホールコンピュータＨＣに出力するようにしてもよい。
（６）また、本発明の実施にあたり、回転体ＲＤは、円筒状に限ることなく、例えば、中空球状であってもよい。
（７）また、本発明の実施にあたり、上記第１実施形態にて述べた振動モータ２００ｆの加振板２００ｄに対する配設位置は、必要に応じて適宜変更してもよい。
【０４００】
例えば、振動モータ２００ｆのモータ本体２１４が、前後方向中心線Ｑ（図７参照）の中央から後方へ離れる程、加振板２００ｄの左右方向中心線Ｐ（図７参照）を基準とするシーソー的振動は大きくなる。従って、操作ボタン１４０ｃの振動も大きくなる。逆に、モータ本体２１４が、前後方向中心線Ｑの中央に近づく程、加振板２００ｄの左右方向中心線Ｐ（図７参照）を基準とするシーソー的振動は小さくなる。従って、操作ボタン１４０ｃの振動も小さくなる。
【０４０１】
ここで、振動モータ２００ｆの振動中心であるモータ本体２１４が、左右方向中心線Ｐの中央に位置するように加振板２００ｄに組み付けられると、加振板２００ｄは、シーソー的振動を伴うことなく、上下左側環状スペーサ２２０ｃ及び上下右側環状スペーサ２２０ｃの伸縮のもとに厚さ方向に振動するようになる。
【０４０２】
また、振動モータ２００ｆのモータ本体２１４が、図７にて示す位置から前後方向中心線Ｑの左側或いは右側へずれた位置にて、加振板２００ｄに組み付けられるように変更してもよい。
（８）また、本発明の実施にあたり、上記第４実施形態にて述べた縦断面コ字状左側カバー２２０ａ及び上下左側環状スペーサ２２０ｃの左右方向中心線Ｐからずれる距離は、適宜変更してもよく、また、縦断面コ字状左側カバー２２０ａ及び上下左側環状スペーサ２２０ｃは、左右方向中心線Ｐよりも後方へずれるように変更してもよい。
【０４０３】
また、左側カバー２２０ａ及び上下左側環状スペーサ２２０ｃに代えて、右側カバー２２０ｂ及び上下右側環状スペーサ２２０ｄが、左右方向中心線Ｐよりも前方或いは後方へ位置ずれするように加振板２００ｄに組み付けられるようにしてもよい。
（９）また、本発明の実施にあたり、上記第５実施形態にて述べた振動機構ＶＭにおいて、振動モータ２００ｆの可振板２００ｄに対する支持位置は、上記二等辺三角形の底辺から後方に離れる程、可振板２００ｄのうち図４５にて上記二等辺三角形の底辺よりも後側部位の振動が大きくなる。
【０４０４】
また、振動モータ２００ｆの可振板２００ｄに対する支持位置が、上記二等辺三角形の底辺に近づく程、可振板２００ｄのうち図４５にて上記二等辺三角形の底辺よりも後側部位の振動が、小さくなり、可振板２００ｄの上記二等辺三角形の底辺よりも前側部位の振動に近づく。
【０４０５】
また、振動モータ２００ｆが、その振動モータ２１４にて、可振板２００ｄの上記二等辺三角形の底辺上に支持される場合には、可振板２００ｄは、その全体にて、各スペーサ２２０ｃ、２２０ｄ及び２２０ｅの伸縮のもとに、上下方向に振動する。
（１０）また、本発明の実施にあたり、反射板１７０ａは、不透明な板であってもよい。
（１１）本発明の実施にあたり、上記第１実施形態にて述べた回転機構ＲＭにおいて、回転軸１５３は、支持板１４１ではなく、筐体１３０から一体的に操作ボタン１４０ｃ内に延出する長手状保持部材により、その延出端部にて、回転可能に支持されるようにしてもよい。これによれば、回転機構ＲＭは、操作ボタン１４０ｃの変位とは関係なく、当該操作ボタン１４０ｃとは分離して支持される。なお、上述した長手状保持部材は、筐体１３０から操作ボタン１４０ｃ内にその周壁に上下方向に長手状に形成した長穴部を通り、延出するように形成されて、上述のように回転軸１５３を回転可能に支持するようになっている。
（１２）本発明の実施にあたり、上記第１実施形態にて述べた上下左側環状スペーサ２２０ｃの間に筒を同軸的にかつ一体的に上下左側環状スペーサ２２０ｃと同一の形成材料でもって形成するようにしてもよく、上下右側環状スペーサ２２０ｄの間に筒を同軸的にかつ一体的に上下左側環状スペーサ２２０ｃと同一の形成材料でもって形成するようにしてもよい。これに伴い、ねじ２３０ａは、左側カバー２２０ａ、上下左側環状スペーサ２２０ｃ及びこれらの間の筒を通してボタンベース１４０ａの傾斜状上壁１４６ａに締着する。また、ねじ２３０ｂは、左側カバー２２０ｂ、上下左側環状スペーサ２２０ｄ及びこれらの間の筒を通してボタンベース１４０ａの傾斜状上壁１４６ａに締着する。
【０４０６】
ここで、傾斜状上壁１４６ａのねじ２３０ｂの締着部位からボタンベース１４０ａ内へ筒状ボスを上下側環状スペーサ２２０ｃ、これらの間の筒及び左側カバー２２０ａを通り突出させて、当該筒状ボス内に同軸的に形成した雌ねじ部にねじ２３０ｂを左側カバー２２０ａ、上下左側環状スペーサ２２０ｃ、これらの間の筒を傾斜状上壁１４６ａとの間に挟持するように締着する。
【０４０７】
また、傾斜状上壁１４６ａのねじ２３０ｂの締着部位からボタンベース１４０ａ内へ筒状ボスを上下右側環状スペーサ２２０ｄ、これらの間の筒及び左側カバー２２０ｂを通り突出させて、当該筒状ボス内に同軸的に形成した雌ねじ部にねじ２３０ｂを右側カバー２２０ｂ、上下右側環状スペーサ２２０ｄ、これらの間の筒を傾斜状上壁１４６ａとの間に挟持するように締着する。
（１３）本発明の実施にあたり、上記第４実施形態にて述べた上下前側環状スペーサ２２０ｆの間に筒を同軸的にかつ一体的に上下前側環状スペーサ２２０ｆと同一の形成材料でもって形成するようにしてもよい。これに伴い、ねじ２３０ｃは、前側カバー２２０ｅ、上下前側環状スペーサ２２０ｆ及びこれらの間の筒を通してボタンベース１４０ａの傾斜状上壁１４６ａに締着する。
（１４）本発明の実施にあたり、図４４にて示す左右方向傾斜状中心線Ｐ１は、上記第４実施形態とは異なり、左右法方向中心線Ｐに対し対称的に位置していてもよく、前後方向中心線Ｑに対し対称的に位置していてもよい。
（１５）本発明の実施にあたり、上記第１実施形態にて述べた左右両側カバー２２０ａ、２２０ｂは廃止してもよい。
（１６）本発明の実施にあたり、左下側スペーサ２２０ｃ、右下側スペーサ２２０ｄ及び前下側スペーサ２２０ｆは、廃止してもよい。
【符号の説明】
【０４０８】
ＢＧ…演出操作装置、Ｐ…左右方向直線、Ｑ…前後方向中心線、
ＶＭ…振動機構、１４０ａ…ボタンベース、１４０ｃ…操作ボタン、
２００ｄ…可振板、２００ｆ…振動モータ、２００ｇ…偏心体、
２１２…左右中側貫通状長穴部、２２０ｃ…上下左側環状スペーサ、
２２０ｄ…上下右側環状スペーサ。
【図１】
0006560291.tif 000002
【図２】
0006560291.tif 000003
【図３】
0006560291.tif 000004
【図４】
0006560291.tif 000005
【図５】
0006560291.tif 000006
【図６】
0006560291.tif 000007
【図７】
0006560291.tif 000008
【図８】
0006560291.tif 000009
【図９】
0006560291.tif 000010
【図１０】
0006560291.tif 000011
【図１１】
0006560291.tif 000012
【図１２】
0006560291.tif 000013
【図１３】
0006560291.tif 000014
【図１４】
0006560291.tif 000015
【図１５】
0006560291.tif 000016
【図１６】
0006560291.tif 000017
【図１７】
0006560291.tif 000018
【図１８】
0006560291.tif 000019
【図１９】
0006560291.tif 000020
【図２０】
0006560291.tif 000021
【図２１】
0006560291.tif 000022
【図２２】
0006560291.tif 000023
【図２３】
0006560291.tif 000024
【図２４】
0006560291.tif 000025
【図２５】
0006560291.tif 000026
【図２６】
0006560291.tif 000027
【図２７】
0006560291.tif 000028
【図２８】
0006560291.tif 000029
【図２９】
0006560291.tif 000030
【図３０】
0006560291.tif 000031
【図３１】
0006560291.tif 000032
【図３２】
0006560291.tif 000033
【図３３】
0006560291.tif 000034
【図３４】
0006560291.tif 000035
【図３５】
0006560291.tif 000036
【図３６】
0006560291.tif 000037
【図３７】
0006560291.tif 000038
【図３８】
0006560291.tif 000039
【図３９】
0006560291.tif 000040
【図４０】
0006560291.tif 000041
【図４１】
0006560291.tif 000042
【図４２】
0006560291.tif 000043
【図４３】
0006560291.tif 000044
【図４４】
0006560291.tif 000045
【図４５】
0006560291.tif 000046